(57)【要約】ワイヤレス通信のための方法、システム、およびデバイスが説明される。ユーザ機器（ＵＥ）のようなワイヤレスデバイスは、第１の送信時間インターバル（ＴＴＩ）において周波数リソースの第１のセット上で第１のダウンリンク共有チャネル送信を受信し、第２のダウンリンク共有チャネル送信のための第２のＴＴＩの周波数リソースの第２のセットの許可を含むダウンリンク制御送信を受信し、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで第２のダウンリンク共有チャネル送信をレートマッチングすると決定し、周波数リソースの第２のセットのサブセット上で第２のダウンリンク共有チャネル送信を受信し得る。【選択図】  図４
2021514150.tif 000002
【特許請求の範囲】
【請求項１】
ワイヤレス通信のための方法であって、
第１の送信時間インターバル（ＴＴＩ）において周波数リソースの第１のセット上で第１のダウンリンク共有チャネル送信を受信することと、
第２のダウンリンク共有チャネル送信のための第２のＴＴＩの周波数リソースの第２のセットの許可を備えるダウンリンク制御送信を受信することと、ここにおいて、前記ダウンリンク制御送信は、前記第１のダウンリンク共有チャネル送信の復調基準信号が前記第２のダウンリンク共有チャネル送信に再使用されるというインジケーションを備える、
周波数リソースの前記第１のセットの一部ではない周波数リソースの前記第２のセットのリソースの周りで前記第２のダウンリンク共有チャネル送信をレートマッチングするかどうかを決定することと、
前記第２のダウンリンク共有チャネル送信をレートマッチングするかどうかを前記決定することに少なくとも部分的に基づいて、前記第２のＴＴＩの周波数リソースの前記第２のセットの少なくともサブセット上で前記第２のダウンリンク共有チャネル送信を受信することと
を備える方法。
【請求項２】
前記第２のダウンリンク共有チャネル送信をレートマッチングするかどうかを前記決定することは、前記第１のＴＴＩにおける第２のダウンリンク制御送信に対応するリソースの周りで前記第２のダウンリンク共有チャネル送信をレートマッチングすると決定することを備える、請求項１に記載の方法。
【請求項３】
周波数リソースの前記第２のセットは、前記第１のＴＴＩにおける第２のダウンリンク制御送信に対応する前記リソースを包含する、請求項１に記載の方法。
【請求項４】
前記第２のダウンリンク共有チャネル送信をレートマッチングするかどうかを前記決定することは、前記第２のダウンリンク共有チャネル送信のレイヤの数に少なくとも部分的に基づく、請求項１に記載の方法。
【請求項５】
周波数リソースの前記第１のセットの一部ではない周波数リソースの前記第２のセットの前記リソースが前記第１のＴＴＩにおける第２のダウンリンク制御送信に関連付けられると決定することと、ここで、前記第２のダウンリンク制御送信は、制御チャネル復調基準信号を備える、
前記第２のＴＴＩにおいて前記リソース上で前記第２のダウンリンク共有チャネル送信の少なくとも一部分を受信することと
をさらに備える、請求項１に記載の方法。
【請求項６】
前記制御チャネル復調基準信号を使用して前記第２のダウンリンク共有チャネル送信の前記少なくとも前記一部分を復調すること
をさらに備える、請求項５に記載の方法。
【請求項７】
前記ダウンリンク制御送信がレートマッチングインジケータを備え、
前記第２のダウンリンク共有チャネル送信をレートマッチングするかどうかを前記決定することは、前記レートマッチングインジケータに少なくとも部分的に基づく、
請求項１に記載の方法。
【請求項８】
前記レートマッチングインジケータは、周波数リソースの前記第２のセットのリソースの第１のグループに関連する第１のインジケータと、周波数リソースの前記第２のセットのリソースの第２のグループに関連する第２のインジケータとを備え、
レートマッチングするかどうかを前記決定することは、リソースの前記第１のグループおよびリソースの前記第２のグループのための周波数リソースの前記第１のセットの一部ではない周波数リソースの前記第２のセットの前記リソースの周りでレートマッチングするかどうかを決定することを備える、
請求項７に記載の方法。
【請求項９】
前記第１のダウンリンク共有チャネル送信の前記復調基準信号は、前記第２のＴＴＩの全ての割り振られた周波数リソースブロックのためのチャネル推定に使用される、請求項１に記載の方法。
【請求項１０】
ワイヤレス通信のための装置であって、
プロセッサと、
前記プロセッサと電子通信するメモリと、
前記メモリに記憶された命令と
を備え、前記命令は、
第１の送信時間インターバル（ＴＴＩ）において周波数リソースの第１のセット上で第１のダウンリンク共有チャネル送信を受信することと、
第２のダウンリンク共有チャネル送信のための第２のＴＴＩの周波数リソースの第２のセットの許可を備えるダウンリンク制御送信を受信することと、ここにおいて、前記ダウンリンク制御送信は、前記第１のダウンリンク共有チャネル送信の復調基準信号が前記第２のダウンリンク共有チャネル送信に再使用されるというインジケーションを備える、
周波数リソースの前記第１のセットの一部ではない周波数リソースの前記第２のセットのリソースの周りで前記第２のダウンリンク共有チャネル送信をレートマッチングするかどうかを決定することと、
前記第２のダウンリンク共有チャネル送信をレートマッチングするかどうかを前記決定することに少なくとも部分的に基づいて、前記第２のＴＴＩの周波数リソースの前記第２のセットの少なくともサブセット上で前記第２のダウンリンク共有チャネル送信を受信することと
を前記装置にさせるように前記プロセッサによって実行可能である、装置。
【請求項１１】
前記第２のダウンリンク共有チャネル送信をレートマッチングするかどうかを前記決定することは、前記第１のＴＴＩにおける第２のダウンリンク制御送信に対応するリソースの周りで前記第２のダウンリンク共有チャネル送信をレートマッチングすると決定することを備える、請求項１０に記載の装置。
【請求項１２】
周波数リソースの前記第２のセットは、前記第１のＴＴＩにおける第２のダウンリンク制御送信に対応する前記リソースを包含する、請求項１０に記載の装置。
【請求項１３】
前記第２のダウンリンク共有チャネル送信をレートマッチングするかどうかを前記決定することは、前記第２のダウンリンク共有チャネル送信のレイヤの数に少なくとも部分的に基づく、請求項１０に記載の装置。
【請求項１４】
前記命令は、
周波数リソースの前記第１のセットの一部ではない周波数リソースの前記第２のセットの前記リソースが前記第１のＴＴＩにおける第２のダウンリンク制御送信に関連付けられると決定することと、ここで、前記第２のダウンリンク制御送信は、制御チャネル復調基準信号を備える、
前記第２のＴＴＩにおいて前記リソース上で前記第２のダウンリンク共有チャネル送信の少なくとも一部分を受信することと
を前記装置にさせるように前記プロセッサによってさらに実行可能である、請求項１０に記載の装置。
【請求項１５】
前記命令は、
前記制御チャネル復調基準信号を使用して前記第２のダウンリンク共有チャネル送信の前記少なくとも前記一部分を復調すること
を前記装置にさせるように前記プロセッサによってさらに実行可能である、請求項１４に記載の装置。
【請求項１６】
前記ダウンリンク制御送信がレートマッチングインジケータを備え、
前記第２のダウンリンク共有チャネル送信をレートマッチングするかどうかを前記決定することは、前記レートマッチングインジケータに少なくとも部分的に基づく、
請求項１０に記載の装置。
【請求項１７】
前記レートマッチングインジケータは、周波数リソースの前記第２のセットのリソースの第１のグループに関連する第１のインジケータと、周波数リソースの前記第２のセットのリソースの第２のグループに関連する第２のインジケータとを備え、
レートマッチングするかどうかを前記決定することは、リソースの前記第１のグループおよびリソースの前記第２のグループのための周波数リソースの前記第１のセットの一部ではない周波数リソースの前記第２のセットの前記リソースの周りでレートマッチングするかどうかを決定することを備える、
請求項１６に記載の装置。
【請求項１８】
前記第１のダウンリンク共有チャネル送信の前記復調基準信号は、前記第２のＴＴＩの全ての割り振られた周波数リソースブロックのためのチャネル推定に使用される、請求項１０に記載の装置。
【請求項１９】
ワイヤレス通信のための装置であって、
第１の送信時間インターバル（ＴＴＩ）において周波数リソースの第１のセット上で第１のダウンリンク共有チャネル送信を受信するための手段と、
第２のダウンリンク共有チャネル送信のための第２のＴＴＩの周波数リソースの第２のセットの許可を備えるダウンリンク制御送信を受信するための手段と、ここにおいて、前記ダウンリンク制御送信は、前記第１のダウンリンク共有チャネル送信の復調基準信号が前記第２のダウンリンク共有チャネル送信に再使用されるというインジケーションを備える、
周波数リソースの前記第１のセットの一部ではない周波数リソースの前記第２のセットのリソースの周りで前記第２のダウンリンク共有チャネル送信をレートマッチングするかどうかを決定するための手段と、
前記第２のダウンリンク共有チャネル送信をレートマッチングするかどうかを前記決定することに少なくとも部分的に基づいて、前記第２のＴＴＩの周波数リソースの前記第２のセットの少なくともサブセット上で前記第２のダウンリンク共有チャネル送信を受信するための手段と
を備える装置。
【請求項２０】
前記第２のダウンリンク共有チャネル送信をレートマッチングするかどうかを前記決定することは、前記第１のＴＴＩにおける第２のダウンリンク制御送信に対応するリソースの周りで前記第２のダウンリンク共有チャネル送信をレートマッチングすると決定することを備える、請求項１９に記載の装置。
【請求項２１】
周波数リソースの前記第２のセットは、前記第１のＴＴＩにおける第２のダウンリンク制御送信に対応する前記リソースを包含する、請求項１９に記載の装置。
【請求項２２】
前記第２のダウンリンク共有チャネル送信をレートマッチングするかどうかを前記決定することは、前記第２のダウンリンク共有チャネル送信のレイヤの数に少なくとも部分的に基づく、請求項１９に記載の装置。
【請求項２３】
周波数リソースの前記第１のセットの一部ではない周波数リソースの前記第２のセットの前記リソースが前記第１のＴＴＩにおける第２のダウンリンク制御送信に関連付けられると決定するための手段と、ここで、前記第２のダウンリンク制御送信は、制御チャネル復調基準信号を備える、
前記第２のＴＴＩにおいて前記リソース上で前記第２のダウンリンク共有チャネル送信の少なくとも一部分を受信するための手段と
をさらに備える、請求項１９に記載の装置。
【請求項２４】
前記制御チャネル復調基準信号を使用して前記第２のダウンリンク共有チャネル送信の前記少なくとも前記一部分を復調するための手段
をさらに備える、請求項２３に記載の装置。
【請求項２５】
前記ダウンリンク制御送信がレートマッチングインジケータを備え、
前記第２のダウンリンク共有チャネル送信をレートマッチングするかどうかを前記決定することは、前記レートマッチングインジケータに少なくとも部分的に基づく、
請求項１９に記載の装置。
【請求項２６】
前記レートマッチングインジケータは、周波数リソースの前記第２のセットのリソースの第１のグループに関連する第１のインジケータと、周波数リソースの前記第２のセットのリソースの第２のグループに関連する第２のインジケータとを備え、
レートマッチングするかどうかを前記決定することは、リソースの前記第１のグループおよびリソースの前記第２のグループのための周波数リソースの前記第１のセットの一部ではない周波数リソースの前記第２のセットの前記リソースの周りでレートマッチングするかどうかを決定することを備える、
請求項２５に記載の装置。
【請求項２７】
前記第１のダウンリンク共有チャネル送信の前記復調基準信号は、前記第２のＴＴＩの全ての割り振られた周波数リソースブロックのためのチャネル推定に使用される、請求項１９に記載の装置。
【請求項２８】
ワイヤレス通信のためのコードを記憶する非一時的コンピュータ読取可能な媒体であって、前記コードは、
第１の送信時間インターバル（ＴＴＩ）において周波数リソースの第１のセット上で第１のダウンリンク共有チャネル送信を受信することと、
第２のダウンリンク共有チャネル送信のための第２のＴＴＩの周波数リソースの第２のセットの許可を備えるダウンリンク制御送信を受信することと、ここにおいて、前記ダウンリンク制御送信は、前記第１のダウンリンク共有チャネル送信の復調基準信号が前記第２のダウンリンク共有チャネル送信に再使用されるというインジケーションを備える、
周波数リソースの前記第１のセットの一部ではない周波数リソースの前記第２のセットのリソースの周りで前記第２のダウンリンク共有チャネル送信をレートマッチングするかどうかを決定することと、
前記第２のダウンリンク共有チャネル送信をレートマッチングするかどうかを前記決定することに少なくとも部分的に基づいて、前記第２のＴＴＩの周波数リソースの前記第２のセットの少なくともサブセット上で前記第２のダウンリンク共有チャネル送信を受信することと
を行うためにプロセッサによって実行可能な命令を備える、非一時的コンピュータ読取可能な媒体。
【請求項２９】
前記第２のダウンリンク共有チャネル送信をレートマッチングするかどうかを前記決定することは、前記第１のＴＴＩにおける第２のダウンリンク制御送信に対応するリソースの周りで前記第２のダウンリンク共有チャネル送信をレートマッチングすると決定することを備える、請求項２８に記載の非一時的コンピュータ読取可能な媒体。
【請求項３０】
周波数リソースの前記第２のセットは、前記第１のＴＴＩにおける第２のダウンリンク制御送信に対応する前記リソースを包含する、請求項２８に記載の非一時的コンピュータ読取可能な媒体。
【請求項３１】
前記第２のダウンリンク共有チャネル送信をレートマッチングするかどうかを前記決定することは、前記第２のダウンリンク共有チャネル送信のレイヤの数に少なくとも部分的に基づく、請求項２８に記載の非一時的コンピュータ読取可能な媒体。
【請求項３２】
前記命令は、
周波数リソースの前記第１のセットの一部ではない周波数リソースの前記第２のセットの前記リソースが前記第１のＴＴＩにおける第２のダウンリンク制御送信に関連付けられると決定することと、ここで、前記第２のダウンリンク制御送信は、制御チャネル復調基準信号を備える、
前記第２のＴＴＩにおいて前記リソース上で前記第２のダウンリンク共有チャネル送信の少なくとも一部分を受信することと
を行うために前記プロセッサによってさらに実行可能である、請求項２８に記載の非一時的コンピュータ読取可能な媒体。
【請求項３３】
前記命令は、
前記制御チャネル復調基準信号を使用して前記第２のダウンリンク共有チャネル送信の前記少なくとも前記一部分を復調すること
を行うために前記プロセッサによってさらに実行可能である、請求項３２に記載の非一時的コンピュータ読取可能な媒体。
【請求項３４】
前記ダウンリンク制御送信がレートマッチングインジケータを備え、
前記第２のダウンリンク共有チャネル送信をレートマッチングするかどうかを前記決定することは、前記レートマッチングインジケータに少なくとも部分的に基づく、
請求項２８に記載の非一時的コンピュータ読取可能な媒体。
【請求項３５】
前記レートマッチングインジケータは、周波数リソースの前記第２のセットのリソースの第１のグループに関連する第１のインジケータと、周波数リソースの前記第２のセットのリソースの第２のグループに関連する第２のインジケータとを備え、
レートマッチングするかどうかを前記決定することは、リソースの前記第１のグループおよびリソースの前記第２のグループのための周波数リソースの前記第１のセットの一部ではない周波数リソースの前記第２のセットの前記リソースの周りでレートマッチングするかどうかを決定することを備える、
請求項３４に記載の非一時的コンピュータ読取可能な媒体。
【請求項３６】
前記第１のダウンリンク共有チャネル送信の前記復調基準信号は、前記第２のＴＴＩの全ての割り振られた周波数リソースブロックのためのチャネル推定に使用される、請求項２８に記載の非一時的コンピュータ読取可能な媒体。
【発明の詳細な説明】
【相互参照】
【０００１】
[0001]  本特許出願は、２０１９年２月１４日に出願された、Hosseini等による「sPDCCH Reuse Indication Constraint Under DMRS Sharing」と題する米国特許出願第１６／２７６，１３１号と、２０１８年２月１６日に出願された、Hosseini等による「sPDCCH Reuse Indication Constraint Under DMRS Sharing」と題する米国仮特許出願第６２／７１０，４５０号とに対する優先権を主張し、それらの各々は、本出願の譲受人に譲渡され、参照により本明細書に明確に組み込まれる。
【背景技術】
【０００２】
[0002]  以下は、一般にワイヤレス通信に関し、より具体的には、復調基準信号（ＤＭＲＳ：demodulation reference signal）共有下での短縮物理ダウンリンク制御チャネル（ｓＰＤＣＣＨ：shortened physical downlink control channel）再使用インジケーション制約に関する。
【０００３】
[0003]  ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例には、ロングタームエボリューション（ＬＴＥ（登録商標））システム、ＬＴＥ−アドバンスト（ＬＴＥ−Ａ）システム、またはＬＴＥ−Ａ Ｐｒｏシステムのような第４世代（４Ｇ）システムと、新無線（ＮＲ）システムと呼ばれ得る第５世代（５Ｇ）システムとが含まれる。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）のような技術を採用し得る。ワイヤレス多元接続通信システムは、別名ユーザ機器（ＵＥ）としても知られ得る複数の通信デバイスのための通信を各々が同時にサポートするいくつかの基地局またはネットワークアクセスノードを含み得る。
【０００４】
[0004]  いくつかのワイヤレス通信システムで、ユーザに割り振られ得るリソース（例えば、周波数および時間リソース）の最小単位は、リソースブロック（ＲＢ）と呼ばれ得る。短縮送信時間インターバル（ｓＴＴＩ：shortened Transmission Time Intervals）にわたって通信することが可能なＵＥは、ＵＥが制御情報を受信するために使用し得る、１つまたは複数のリソースブロック（ＲＢ）を含むＲＢセットが割り振られ得る。いくつかのケースで、ＵＥは、割り振られたＲＢセットにおいて、その許可（例えば、ダウンリンク許可）を識別し得る。例えば、ダウンリンク制御情報（ＤＣＩ：downlink control information）または短縮ＤＣＩに含まれるダウンリンク許可は、物理ダウンリンク共有チャネル（ＰＤＳＣＨ：physical downlink shared channel）または短縮ＰＤＳＣＨ（ｓＰＤＳＣＨ：shortened PDSCH）上でのダウンリンクデータ送信のためのリソース割振りを示すインジケーション(indication)を提供し得る。ｓＤＣＩおよびｓＰＤＳＣＨリソースの使用および割振りに関して課題が生じ得る。
【発明の概要】
【０００５】
[0005]  説明される技法は、復調基準信号（ＤＭＲＳ）共有下での短縮物理ダウンリンク制御チャネル（ｓＰＤＣＣＨ）再使用インジケーション制約をサポートする改善された方法、システム、デバイス、または装置に関する。いくつかのケースでは、ワイヤレス通信システムが、同じサブフレーム内の２つの連続するｓＴＴＩにわたるＤＭＲＳ共有をサポートし得る。いくつかの態様では、第１の送信時間インターバル（ＴＴＩ）にわたって送信される第１のダウンリンク共有チャネル送信（例えば、ｓＰＤＳＣＨ）のＤＭＲＳが、第２のＴＴＩにおける第２の後続のｓＰＤＳＣＨ送信に再使用され得る。いくつかのケースでは、第２のｓＰＤＳＣＨ送信を受信するＵＥが、第２のｓＰＤＳＣＨ送信を復調するために、第１のｓＰＤＳＣＨ送信からのＤＭＲＳを利用し得る。ＵＥは、ｓＰＤＳＣＨについての制御情報のために割り振られた１つまたは複数のリソースブロック（ＲＢ）セットの周波数リソースを再使用するような方法で、第２のｓＰＤＳＣＨをレートマッチングするように構成され得る。ＵＥは、ＤＭＲＳ共有が可能かどうかに基づいて、および、第１のｓＰＤＳＣＨと、ＲＢセットから第２のｓＰＤＳＣＨに再割り振りされ得るＲＢセットのリソースとの間の周波数リソース重複に基づいて、第２のｓＰＤＳＣＨをレートマッチングするための構成を決定し得る。
【０００６】
[0006]  ワイヤレス通信の方法が説明される。方法は、第１のＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで(around)第２のダウンリンク共有チャネル送信をレートマッチングするかどうかを決定することと、第２のダウンリンク共有チャネル送信をレートマッチングするかどうかを決定することに少なくとも部分的に基づいて、第２のＴＴＩの周波数リソースの第２のセットの少なくともサブセット上で第２のダウンリンク共有チャネル送信を受信することとを含み得る。
【０００７】
[0007]  ワイヤレス通信のための装置が説明される。装置は、ＴＴＩにおいて周波数リソースの第１のセット上で第１のダウンリンク共有チャネル送信を受信するための手段と、第２のダウンリンク共有チャネル送信のための第２のＴＴＩの周波数リソースの第２のセットの許可を含むダウンリンク制御送信を受信するための手段と、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで第２のダウンリンク共有チャネル送信をレートマッチングするかどうかを決定するための手段と、第２のダウンリンク共有チャネル送信をレートマッチングするかどうかを決定することに少なくとも部分的に基づいて、第２のＴＴＩの周波数リソースの第２のセットの少なくともサブセット上で第２のダウンリンク共有チャネル送信を受信するための手段とを含み得る。
【０００８】
[0008]  ワイヤレス通信のための別の装置が説明される。装置は、プロセッサと、このプロセッサと電子通信するメモリと、このメモリに記憶された命令とを含み得る。命令は、第１のＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで第２のダウンリンク共有チャネル送信をレートマッチングするかどうかを決定することと、第２のダウンリンク共有チャネル送信をレートマッチングするかどうかを決定することに少なくとも部分的に基づいて、第２のＴＴＩの周波数リソースの第２のセットの少なくともサブセット上で第２のダウンリンク共有チャネル送信を受信することとをプロセッサにさせるように動作可能であり得る。
【０００９】
[0009]  ワイヤレス通信のための非一時的コンピュータ読取可能な媒体が説明される。非一時的コンピュータ読取可能な媒体は、第１のＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで第２のダウンリンク共有チャネル送信をレートマッチングするかどうかを決定することと、第２のダウンリンク共有チャネル送信をレートマッチングするかどうかを決定することに少なくとも部分的に基づいて、第２のＴＴＩの周波数リソースの第２のセットの少なくともサブセット上で第２のダウンリンク共有チャネル送信を受信することとをプロセッサにさせるように動作可能な命令を含み得る。
【００１０】
[0010]  本明細書で説明される方法、装置、および非一時的コンピュータ読取可能な媒体のいくつかの例で、第２のダウンリンク共有チャネル送信をレートマッチングするかどうかを決定することは、第１のＴＴＩにおける第２のダウンリンク制御送信に対応するリソースの周りで第２のダウンリンク共有チャネル送信をレートマッチングすると決定することを備える。
【００１１】
[0011]  本明細書で説明される方法、装置、および非一時的コンピュータ読取可能な媒体のいくつかの例で、周波数リソースの第２のセットは、第１のＴＴＩにおける第２のダウンリンク制御送信に対応するリソースを包含する。
【００１２】
[0012]  本明細書で説明される方法、装置、および非一時的コンピュータ読取可能な媒体のいくつかの例で、第２のダウンリンク共有チャネル送信をレートマッチングするかどうかを決定することは、第２のダウンリンク共有チャネル送信のレイヤの数に少なくとも部分的に基づき得る。
【００１３】
[0013]  本明細書で説明される方法、装置、および非一時的コンピュータ読取可能な媒体のいくつかの例は、周波数リソースの第１のセットの一部ではないであろう周波数リソースの第２のセットのリソースが第１のＴＴＩにおける第２のダウンリンク制御送信に関連付けられ(associated)得ると決定するためのプロセス、特徴、手段、または命令をさらに含み得、ここで、第２のダウンリンク制御送信は、制御チャネル復調基準信号を含む。本明細書で説明される方法、装置、および非一時的コンピュータ読取可能な媒体のいくつかの例は、第２のＴＴＩにおいてリソース上で第２のダウンリンク共有チャネル送信の少なくとも一部分を受信するためのプロセス、特徴、手段、または命令をさらに含み得る。
【００１４】
[0014]  本明細書で説明される方法、装置、および非一時的コンピュータ読取可能な媒体のいくつかの例は、制御チャネル復調基準信号を使用して第２のダウンリンク共有チャネル送信の少なくとも一部分を復調するためのプロセス、特徴、手段、または命令をさらに含み得る。
【００１５】
[0015]  本明細書で説明される方法、装置、および非一時的コンピュータ読取可能な媒体のいくつかの例で、ダウンリンク制御送信は、レートマッチングインジケータを含む。本明細書で説明される方法、装置、および非一時的コンピュータ読取可能な媒体のいくつかの例で、第２のダウンリンク共有チャネル送信をレートマッチングするかどうかを決定することは、レートマッチングインジケータ(rate matching indicator)に少なくとも部分的に基づき得る。
【００１６】
[0016]  本明細書で説明される方法、装置、および非一時的コンピュータ読取可能な媒体のいくつかの例で、レートマッチングインジケータは、周波数リソースの第２のセットのリソースの第１のグループに関連する第１のインジケータと、周波数リソースの第２のセットのリソースの第２のグループに関連する第２のインジケータとを含む。本明細書で説明される方法、装置、および非一時的コンピュータ読取可能な媒体のいくつかの例で、レートマッチングするかどうかを決定することは、リソースの第１のグループおよびリソースの第２のグループのための周波数リソースの第１のセットの一部ではないであろう周波数リソースの第２のセットのリソースの周りでレートマッチングするかどうかを決定することを含む。
【００１７】
[0017]  本明細書で説明される方法、装置、および非一時的コンピュータ読取可能な媒体のいくつかの例で、第１のダウンリンク共有チャネル送信の復調基準信号は、第２のＴＴＩの全ての割り振られた周波数リソースブロックのためのチャネル推定に使用され得る。
【００１８】
[0018]  ワイヤレス通信の方法が説明される。方法は、第１の送信ＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第２のセットが周波数リソースの第１のセットの一部ではないリソースを含むと決定することと、第２のダウンリンク共有チャネル送信の受信を抑制することとを含み得る。
【００１９】
[0019]  ワイヤレス通信のための装置が説明される。装置は、第１のＴＴＩにおいて周波数リソースの第１のセット上で第１のダウンリンク共有チャネル送信を受信するための手段と、第２のダウンリンク共有チャネル送信のための第２のＴＴＩの周波数リソースの第２のセットの許可を含むダウンリンク制御送信を受信するための手段と、ここで、ダウンリンク制御送信は、第１のダウンリンク共有チャネル送信の復調基準信号が第２のダウンリンク共有チャネル送信に再使用されるというインジケーションを含む、周波数リソースの第２のセットが周波数リソースの第１のセットの一部ではないリソースを含むと決定するための手段と、第２のダウンリンク共有チャネル送信の受信を抑制するための手段とを含み得る。
【００２０】
[0020]  ワイヤレス通信のための別の装置が説明される。装置は、プロセッサと、このプロセッサと電子通信するメモリと、このメモリに記憶された命令とを含み得る。命令は、第１のＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第２のセットが周波数リソースの第１のセットの一部ではないリソースを含むと決定することと、第２のダウンリンク共有チャネル送信の受信を抑制することとをプロセッサにさせるように動作可能であり得る。
【００２１】
[0021]  ワイヤレス通信のための非一時的コンピュータ読取可能な媒体が説明される。非一時的コンピュータ読取可能な媒体は、第１のＴＴＩにおいて周波数リソースの第１のセット上で第１のダウンリンク共有チャネル送信を受信することと、第２のダウンリンク共有チャネル送信のための第２のＴＴＩの周波数リソースの第２のセットの許可を含むダウンリンク制御送信を受信することと、ここで、ダウンリンク制御送信は、第１のダウンリンク共有チャネル送信の復調基準信号が第２のダウンリンク共有チャネル送信に再使用されるというインジケーションを含む、周波数リソースの第２のセットが周波数リソースの第１のセットの一部ではないリソースを含むと決定することと、第２のダウンリンク共有チャネル送信の受信を抑制することとをプロセッサにさせるように動作可能な命令を含み得る。
【００２２】
[0022]  本明細書で説明される方法、装置、および非一時的コンピュータ読取可能な媒体のいくつかの例は、ダウンリンク制御送信に応答して否定応答メッセージを送信するためのプロセス、特徴、手段、または命令をさらに含み得る。
【図面の簡単な説明】
【００２３】
【図１】本開示の態様による、復調基準信号（ＤＭＲＳ）共有下での短縮物理ダウンリンク制御チャネル（ｓＰＤＣＣＨ）再使用インジケーション制約をサポートするワイヤレス通信のためのシステムの例を例示する。
【図２】本開示の態様による、ＤＭＲＳ共有下でのｓＰＤＣＣＨ再使用インジケーション制約をサポートするワイヤレス通信システムの例を例示する。
【図３】本開示の態様による、ＤＭＲＳ共有下でのｓＰＤＣＣＨ再使用インジケーション制約をサポートするリソースグリッドの例を例示する。
【図４】本開示の態様による、ＤＭＲＳ共有下でのｓＰＤＣＣＨ再使用インジケーション制約をサポートするリソースグリッドの例を例示する。
【図５】本開示の態様による、ＤＭＲＳ共有下でのｓＰＤＣＣＨ再使用インジケーション制約をサポートするプロセスフローの例を例示する。
【図６】本開示の態様による、ＤＭＲＳ共有下でのｓＰＤＣＣＨ再使用インジケーション制約をサポートするデバイスのブロック図を示す。
【図７】本開示の態様による、ＤＭＲＳ共有下でのｓＰＤＣＣＨ再使用インジケーション制約をサポートするデバイスのブロック図を示す。
【図８】本開示の態様による、ＤＭＲＳ共有下でのｓＰＤＣＣＨ再使用インジケーション制約をサポートするデバイスのブロック図を示す。
【図９】本開示の態様による、ＤＭＲＳ共有下でのｓＰＤＣＣＨ再使用インジケーション制約をサポートするユーザ機器（ＵＥ）を含むシステムのブロック図を例示する。
【図１０】本開示の態様による、ＤＭＲＳ共有下でのｓＰＤＣＣＨ再使用インジケーション制約のための方法を例示する。
【図１１】本開示の態様による、ＤＭＲＳ共有下でのｓＰＤＣＣＨ再使用インジケーション制約のための方法を例示する。
【詳細な説明】
【００２４】
[0031]  いくつかのケースでは、短縮送信時間インターバル（ｓＴＴＩ：shortened transmission time intervals）にわたって通信することが可能なユーザ機器（ＵＥ：user equipment）が、制御情報を受信するための、１つまたは複数のリソースブロック（ＲＢ：resource blocks）を含む１つまたは複数のリソースブロック（ＲＢ）セットが（例えば、基地局によって）割り振られ得る。いくつかのケースで、ＵＥは、割り振られたＲＢセットにおいて、ＵＥがいつデータ送信を受信または送信するかを決定するのを助け得る許可（例えば、ダウンリンク許可）を見つけ得る。ダウンリンク制御情報（ＤＣＩ：downlink control information）または短縮ＤＣＩ（ｓＤＣＩ：shortened DCＩ）（例えば、ＤＣＩフォーマット７−１ＦまたはＤＣＩフォーマット７−１ＧをもつＤＣＩまたはｓＤＣＩ）であり得るダウンリンク許可は、物理ダウンリンク共有チャネル（ＰＤＳＣＨ：physical downlink shared channel）上でのダウンリンクデータ送信のためのリソース割振りを示すインジケーションを提供し得る。いくつかのケースでは、ＲＢセットの全てのＲＢが、所与のｓＴＴＩについて制御情報に使用されるわけではないであろう。そのようなケースでは、ＵＥが、（例えば、制御情報の代わりに）ＰＤＳＣＨ上でのダウンリンクデータ送信にＲＢリソースを再使用し得る。しかしながら、ダウンリンクデータ送信のために割り振られたリソースは、制御情報のためのＲＢ割振り（またはＲＢセット）と重複し得る。いくつかのケースでは、ｓＴＴＩが、１サブスロットに及び得る。
【００２５】
[0032]  いくつかのケースでは、各ＲＢセットが、１つまたは複数の半静的レートマッチングモードで構成され得る。例えば、第１のレートマッチングモードは、ダウンリンク制御情報がＲＢセットにおいて送信される場合に、ＰＤＳＣＨをスケジューリングするダウンリンク制御情報（例えば、ｓＤＣＩ）の周りでＵＥがレートマッチングすることを伴い得る。さらに、ダウンリンク制御情報の例であり得るｓＤＣＩがＲＢセットにおいて送信されない（例えば、ｓＤＣＩが所与のｓＴＴＩにおける異なるＲＢセットにおいて送信される）場合、レートマッチングは行われないであろう。第２の半静的レートマッチングモードにおいて、ＵＥは、ＲＢセット全体（すなわち、ＲＢセット内の周波数領域全体）の周りでレートマッチングし得る。第３の半静的レートマッチングモードにおいて、ｓＰＤＳＣＨをスケジューリングするために使用されるｓＤＣＩがＵＥによって識別される場合、ＵＥは、ＲＢセット全体の周りでレートマッチングし得る。例えば、ＵＥが第１のＴＴＩにおける第１のＲＢセット内のｓＤＣＩを検出する場合、ＵＥは、第１のＲＢセットの周りでレートマッチングし得る。しかしながら、ＵＥが複数のＲＢセットで構成される場合、ＵＥは、第１のＴＴＩにおける他のＲＢセット（例えば、ｓＤＣＩを含まない任意のＲＢセット）の周りでレートマッチングしないであろう。第４の半静的レートマッチングモードにおいて、ＵＥは、ＰＤＳＣＨをスケジューリングするために使用されるｓＤＣＩが見つけられないかまたは識別されない場合、ＲＢセット全体の周りでレートマッチングし得、そうでない場合、ＵＥは、ＰＤＳＣＨをスケジューリングするｓＤＣＩの周りでのみレートマッチングし得る。いくつかのケースで、ｓＰＤＳＣＨをスケジューリングするｓＤＣＩが基地局によって送信され、かつ、２つ以上のＲＢセットが重複している場合、ｓＤＣＩは、両方のＲＢセットにおいて見つけられると想定され得る。
【００２６】
[0033]  他のケースでは（例えば、半静的レートマッチングモードに加えて）、ＵＥが、動的レートマッチングをサポートすることが可能であり得る。いくつかの態様では、２ビットインジケーションフィールドが、ネットワークまたは基地局によってｓＤＣＩに追加され得る。いくつかのケースでは、ＵＥが、（例えば、Ｌ１メッセージを介して）ｓＰＤＳＣＨのためにｓＰＤＣＣＨを再使用するように上位レイヤによって構成される場合、以下のケースのうちの１つまたは複数が適用され得る。第１の例で、ＵＥが少なくとも２つのＲＢセットで構成される場合、ＵＥは、各ＲＢセットについての１ビットインジケーション（例えば、｛１，１｝）を受信し得る。第２の例で、ＵＥが１つのＲＢセットまたは２つのＲＢセットのいずれかで構成される場合、ＵＥは、ｓＤＣＩにおいて第１のＲＢセットについての２ビットインジケーション（例えば、｛２，０｝）を受信し得る。さらに、ＵＥは、２つのＲＢセットで構成される場合、第２のＲＢセットについての２ビットインジケーション（例えば、｛０，２｝）を受信し得る。
【００２７】
[0034]  いくつかのケースでは、１ビットインジケーション（例えば、２つのＲＢセットについて示される｛１，１｝）が、ＵＥが、ＲＢセットおよびｓＰＤＳＣＨに使用される重複するリソースの周りでｓＰＤＳＣＨをレートマッチングすべきかどうかを指定し得る。他のケースでは、ＲＢセットを形成するｓＴＴＩ制御チャネル要素（ｓＣＣＥ：sTTI control channel elements）が、２つのグループに分割され得る。例えば、ｓＣＣＥの第１のグループは、ｓＰＤＣＣＨと重複しないｓＣＣＥを含み得、ｓＣＣＥの第２のグループは、ｓＰＤＳＣＨと重複するｓＣＣＥを含み得る。ゆえに、２ビットインジケーション（例えば、｛２，０｝または｛０，２｝）は、２つのｓＣＣＥグループに使用され得る。例えば、第１のビットは、ｓＰＤＳＣＨが第１のグループ内のｓＣＣＥの周りでレートマッチングされるべきかどうかを示し得、第２のビットは、ｓＰＤＳＣＨが第２のグループ内のｓＣＣＥの周りでレートマッチングされるべきかどうかを示し得る。
【００２８】
[0035]  いくつかのケースでは、ワイヤレス通信システムが、サブスロットｓＴＴＩをサポートし得る。そのようなケースでは、復調基準信号（ＤＭＲＳ：demodulation reference signal）共有が、２つの連続するｓＴＴＩにわたってサポートされ得る。ＤＭＲＳは、ＵＥ固有基準信号（ＵＥ−ＲＳ：UE-specific reference signals）としても知られ得、チャネル推定のためにＵＥによって利用され得る。ＤＭＲＳがｓＴＴＩ「ｎ」において送信される場合、ＵＥは、ｓＴＴＩ「ｎ」内で送信されるＤＭＲＳがｓＴＴＩ「ｎ＋１」に使用され得るというインジケーションをｓＴＴＩ「ｎ＋１」内のｓＤＣＩにおいて受信し得る。そのようなケースで、ｓＴＴＩ「ｎ＋１」におけるｓＰＤＳＣＨ割振りは、ｓＴＴＩ「ｎ」におけるｓＰＤＳＣＨ割振りと全く同じであり得るか、またはそれのサブセット（すなわち、ｓＰＤＳＣＨに割り振られたＲＢのサブセット）であり得る。他のケースで、ｓＴＴＩ「ｎ＋１」におけるｓＰＤＳＣＨ割振りは、（例えば、半静的レートマッチングおよび／またはｓＰＤＳＣＨに対するＬ１ベースのｓＰＤＣＣＨ再使用中）ｓＴＴＩ「ｎ」におけるｓＰＤＳＣＨ割振りのサブセットではないであろう。例えば、ｓＴＴＩ「ｎ」では、０〜３とインデックス付けされたｓＣＣＥが、ダウンリンクｓＤＣＩを送信するために使用され得、ｓＴＴＩ「ｎ＋１」では、４〜７とインデックス付けされたｓＣＣＥが、ｓＤＣＩに使用され得る。ＤＭＲＳがｓＴＴＩ「ｎ＋１」内に存在しておらず、ＵＥが第１の半静的レートマッチングモードで動作している可能性がある（すなわち、ＵＥがダウンリンクｓＤＣＩの周りでｓＰＤＣＣＨをレートマッチングし得る）ため、ＵＥは、ｓＰＤＳＣＨを復調するために前のｓＴＴＩからのＤＭＲＳを使用し得る。
【００２９】
[0036]  一例で、ｓＴＴＩ「ｎ＋１」におけるｓＰＤＳＣＨに割り振られるＲＢは、ｓＴＴＩ「ｎ」におけるｓＰＤＳＣＨに割り振られるＲＢのサブセットではないであろう。第１の展開方式では、ＵＥが、ｓＴＴＩ「ｎ＋１」中にｓＴＴＩ「ｎ」からのＤＭＲＳを再使用するとのインジケーションを受信し得る。そのようなケースで、ｓＴＴＩ「ｎ＋１」に対して１ビットまたは２ビットのＬ１ベースのｓＰＤＣＣＨ再使用インジケーションを利用することの他に、ＵＥは、ｓＴＴＩ「ｎ」におけるｓＰＤＳＣＨに使用可能でなかったＲＢの周りでｓＴＴＩ「ｎ＋１」のためのｓＰＤＳＣＨをレートマッチングし得る。上で説明された例を参照すると、ｓＰＤＳＣＨレートマッチングは、ｓＴＴＩ「ｎ」における０〜３とインデックス付けされたｓＣＣＥによって占有されたＲＢの周りで行われたため、ｓＰＤＳＣＨレートマッチングは、ｓＴＴＩ「ｎ＋１」におけるｓＰＤＳＣＨの全てのＲＢのためのチャネル推定を可能にするために、ｓＴＴＩ「ｎ＋１」における０〜７とインデックス付けされたｓＣＣＥの周りで行われ得る。
【００３０】
[0037]  追加的または代替的に、単一（すなわち１つの）レイヤｓＰＤＳＣＨがｓＴＴＩ「ｎ＋１」において送信され、かつ、ＵＥがｓＴＴＩ「ｎ」からのＤＭＲＳを再使用するとのインジケーションを受信する場合、ＵＥは、（例えば、本明細書で論じられるレートマッチングモードに従って）ｓＴＴＩ「ｎ＋１」において示されるリソースの周りでのみレートマッチングし得る。いくつかのケースで、ｓＰＤＣＣＨは、単一レイヤを介して送信され得、ｓＴＴＩ「ｎ」にわたってｓＤＣＩリソースにおいて送信されるＤＭＲＳは、ｓＴＴＩ「ｎ＋１」におけるｓＰＤＳＣＨ復調に使用され得る。他のケースで、第２のｓＰＤＳＣＨ送信（すなわち、ｓＴＴＩ「ｎ＋１」におけるｓＰＤＳＣＨ）をレートマッチングするとの決定は、第２のｓＰＤＳＣＨ送信のレイヤの数に部分的に基づき得る。さらに、任意の特定の送信において使用されるレイヤの数は、ＵＥが判別し得るレイヤの数を識別し得る、ＵＥからのランクインジケーション（ＲＩ：Rank Indication）フィードバックに少なくとも部分的に基づき得る。いくつかのケースで、レイヤの数は、アンテナポートの数以下であり得る。第３の展開方式で、ｓＴＴＩ「ｎ＋１」において、ｓＰＤＳＣＨは、ｓＴＴＩ「ｎ」における使用可能なＲＢのサブセットにマッピングされると予想され得る。そのようなケースで、ＵＥは、ｓＴＴＩ「ｎ＋１」のためのｓＰＤＳＣＨが、ｓＴＴＩ「ｎ」におけるｓＰＤＳＣＨと同じでもそれのためのＲＢのサブセットでもない限り、ｓＴＴＩ「ｎ＋１」について（例えば、ｓＤＣＩを介して）基地局によって送信される命令に従い得る。そのようなケースで、ＵＥは、ｓＴＴＩ「ｎ＋１」のためのｓＰＤＳＣＨを受信することをドロップまたは抑制し得る。
【００３１】
[0038]  代替的に（例えば、ＤＣＩフォーマット７−１Ｆもしくは７１−ＧをもつＤＣＩまたはｓＤＣＩの場合）、ＵＥは、ｓＴＴＩ「ｎ＋１」（例えば、サブスロット「ｎ＋１」のｓＴＴＩ）におけるｓＰＤＳＣＨがマッピングされる全てのＲＢまたは短縮物理リソースグループ（ｓＰＲＧ：shortened Physical Resource Groups）（例えば、ｓＴＴＩ「ｎ」のＲＢまたはｓＰＲＧ）において、ｓＴＴＩ「ｎ」（例えば、サブスロット「ｎ」のｓＴＴＩ）内のＵＥ固有基準信号（例えば、ＤＭＲＳ）の存在を想定し得る。そのような想定は、ｓＴＴＩ「ｎ＋１」内のｓＤＣＩによって示され得るように、ＤＭＲＳがｓＴＴＩ「ｎ＋１」内に存在しないときになされ得る。ゆえに、いくつかの例で、ＵＥは、ｓＴＴＩにわたるＤＭＲＳ共有のための前のｓＰＤＳＣＨ割当てのためのＲＢを比較または追跡する必要がないであろう。代わりに、ＵＥは、ＤＭＲＳが現在のｓＴＴＩ内に存在しないというインジケーションをＵＥが受信する場合、チャネル推定値が現在のｓＴＴＩの全てのＲＢまたはｓＰＲＧに利用可能であると想定し得る。ゆえに、ＵＥは、後続のｓＴＴＩにおける可能な再使用のために、ＤＭＲＳを有する任意のｓＴＴＩの全ての割り振られたＲＢまたはｓＰＲＧのためのＤＭＲＳに対するチャネル推定値を記憶し得る。一態様によれば、基地局は、（例えば、ｓＤＣＩを介して）ＤＭＲＳが存在しないことを基地局がＵＥに示す任意の現在のｓＴＴＩについて、現在のｓＴＴＩのためのｓＰＤＳＣＨ割振りの全てのＲＢまたはｓＰＲＧのために、先行するｓＴＴＩ内にＤＭＲＳが存在することを確実にし得る。例えば、ＵＥが、第１のｓＴＴＩにおけるＲＢセット内のｓＤＣＩの周りでレートマッチングするように第１のレートマッチングモードで構成される場合、基地局は、レートマッチングを考慮した第２のｓＴＴＩ（例えば、次のｓＴＴＩ）における任意のｓＰＤＳＣＨ割振りが、第１のｓＴＴＩにおけるＲＢまたはｓＰＲＧと同じかまたはそれのサブセットであること、または別の方法で（otherwise）、第１のｓＴＴＩにおける対応するＲＢまたはｓＰＲＧが、ＤＭＲＳ（例えば、第２のｓＴＴＩにおけるｓＰＤＳＣＨと同じアンテナポートからのＤＭＲＳを含むｓＤＣＩ）を含むことを確実にし得る。
【００３２】
[0039]  本開示の態様は、最初に、ワイヤレス通信システムのコンテキストにおいて説明される。本開示の態様は、ＤＭＲＳ共有下でのｓＰＤＣＣＨ再使用インジケーション制約に関するリソースグリッド図、装置図、システム図、およびフローチャートによってさらに例示され、それらを参照して説明される。
【００３３】
[0040]  図１は、本開示の態様による、ＤＭＲＳ共有下でのｓＰＤＣＣＨ再使用インジケーション制約をサポートするワイヤレス通信システム１００の例を例示する。ワイヤレス通信システム１００は、基地局１０５と、ＵＥ１１５と、コアネットワーク１３０とを含む。いくつかの例で、ワイヤレス通信システム１００は、ロングタームエボリューション（ＬＴＥ）ネットワーク、ＬＴＥ−アドバンスト（ＬＴＥ−Ａ）ネットワーク、ＬＴＥ−Ａ Ｐｒｏネットワーク、または新無線（ＮＲ）ネットワークであり得る。いくつかのケースでは、ワイヤレス通信システム１００が、拡張ブロードバンド通信、超高信頼（例えば、ミッションクリティカル）通信、低レイテンシ通信、または低コストおよび低複雑性デバイスとの通信をサポートし得る。
【００３４】
[0041]  基地局１０５は、１つまたは複数の基地局アンテナを介してＵＥ１１５とワイヤレスに通信し得る。本明細書で説明される基地局１０５は、トランシーバ基地局、無線基地局、アクセスポイント、無線トランシーバ、ノードＢ、ｅノードＢ（ｅＮＢ）、次世代ノードＢもしくはギガノードＢ（いずれもｇＮＢと呼ばれ得る）、ホームノードＢ、ホームｅノードＢ、または何らかの他の好適な用語を含み得るか、またはそのように当業者によって呼ばれ得る。ワイヤレス通信システム１００は、異なるタイプの基地局１０５（例えば、マクロセルまたはスモールセル基地局）を含み得る。本明細書で説明されるＵＥ１１５は、マクロｅＮＢ、スモールセルｅＮＢ、ｇＮＢ、リレー基地局、等を含む様々なタイプの基地局１０５およびネットワーク機器と通信することが可能であり得る。
【００３５】
[0042]  各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供し得、基地局１０５とＵＥ１１５との間の通信リンク１２５は、１つまたは複数のキャリアを利用し得る。ワイヤレス通信システム１００に示される通信リンク１２５は、ＵＥ１１５から基地局１０５へのアップリンク送信、または基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【００３６】
[0043]  基地局１０５のための地理的カバレッジエリア１１０は、地理的カバレッジエリア１１０の一部分だけを構成するセクタに分割され得、各セクタは、セルに関連付けられ得る。例えば、各基地局１０５は、マクロセル、スモールセル、ホットスポット、もしくは他のタイプのセル、またはそれらの様々な組合せのための通信カバレッジを提供し得る。いくつかの例では、基地局１０５が、可動であり、従って、移動する地理的カバレッジエリア１１０に通信カバレッジを提供し得る。いくつかの例では、異なる技術に関連する異なる地理的カバレッジエリア１１０が重複し得、異なる技術に関連する重複した地理的カバレッジエリア１１０が、同じ基地局１０５によってまたは異なる基地局１０５によってサポートされ得る。ワイヤレス通信システム１００は、例えば、異なるタイプの基地局１０５が様々な地理的カバレッジエリア１１０にカバレッジを提供する異種ＬＴＥ／ＬＴＥ−Ａ／ＬＴＥ−Ａ ＰｒｏまたはＮＲネットワークを含み得る。
【００３７】
[0044]  「セル」という用語は、（例えば、キャリア上での）基地局１０５との通信に使用される論理通信エンティティを指し、同じまたは異なるキャリアを介して動作する隣接セルを区別するための識別子（例えば、物理セル識別子（ＰＣＩＤ：physical cell identifier）、仮想セル識別子（ＶＣＩＤ：virtual cell identifier））に関連付けられ得る。いくつかの例では、キャリアが、複数のセルをサポートし得、異なるセルは、異なるタイプのデバイスにアクセスを提供し得る異なるプロトコルタイプ（例えば、マシンタイプ通信（ＭＴＣ：machine-type communication）、狭帯域モノのインターネット（ＮＢ−ＩｏＴ：narrowband Internet-of-Things）、拡張モバイルブロードバンド（ｅＭＢＢ：enhanced mobile broadband）、またはその他）に従って構成され得る。いくつかのケースで、「セル」という用語は、論理エンティティが動作する地理的カバレッジエリア１１０の一部分（例えば、セクタ）を指し得る。
【００３８】
[0045]  ＵＥ１１５は、ワイヤレス通信システム１００中に散在しており、各ＵＥ１１５は、据置式またはモバイルであり得る。ＵＥ１１５は、モバイルデバイス、ワイヤレスデバイス、リモートデバイス、ハンドヘルドデバイス、もしくは加入者デバイス、または何らかの他の好適な用語でも呼ばれ得、ここで、「デバイス」は、ユニット、局、端末、またはクライアントとも呼ばれ得る。ＵＥ１１５はまた、携帯電話、携帯情報端末（ＰＤＡ）、タブレットコンピュータ、ラップトップコンピュータ、またはパーソナルコンピュータのようなパーソナル電子デバイスであり得る。いくつかの例では、ＵＥ１１５がまた、電気器具、車両、メータ、または同様のもののような様々な物品で実施され得る、ワイヤレスローカルループ（ＷＬＬ：wireless local loop）局、モノのインターネット（ＩｏＴ：Internet of Things）デバイス、エブリシングのインターネット（ＩｏＥ：Internet of Everything）デバイス、またはＭＴＣデバイス、等を指し得る。
【００３９】
[0046]  ＭＴＣまたはＩｏＴデバイスのようないくつかのＵＥ１１５は、低コストまたは低複雑性デバイスであり得、（例えば、マシン・ツー・マシン（Ｍ２Ｍ：Machine-to-Machine）通信を介した）マシン間の自動通信を提供し得る。Ｍ２Ｍ通信またはＭＴＣは、デバイスが人間の介在なしに互いにまたは基地局１０５と通信することを可能にするデータ通信技術を指し得る。いくつかの例では、Ｍ２Ｍ通信またはＭＴＣが、情報を測定または取り込むためのセンサまたはメータを統合し、この情報を使用することまたはプログラムもしくはアプリケーションとインタラクトしている人間にこの情報を提示できる中央サーバまたはアプリケーションプログラムにこの情報を中継するデバイスからの通信を含み得る。いくつかのＵＥ１１５は、情報を収集するか、またはマシンの自動化された挙動を可能にするように設計され得る。ＭＴＣデバイスのためのアプリケーションの例には、スマート計測、在庫（inventory）モニタリング、水位モニタリング、機器モニタリング、ヘルスケアモニタリング、野生生物モニタリング、天気事象および地質学的イベントモニタリング、保有車両（ｆｌｅｅｔ）管理および追跡、リモートセキュリティ感知、物理アクセス制御、およびトランザクションベースのビジネス課金が含まれる。
【００４０】
[0047]  いくつかのＵＥ１１５は、半二重通信のような電力消費を低減する動作モード（例えば、送信または受信を介した単方向通信はサポートするが、送信と受信とを同時にはサポートしないモード）を採用するように構成され得る。いくつかの例では、半二重通信が、低減されたピークレートで行われ得る。ＵＥ１１５のための他の電力節約技法は、アクティブ通信に関与していないとき、または（例えば、狭帯域通信に従って）限られた帯域幅上で動作しているとき、電力節約「ディープスリープ」モードに入ることを含む。いくつかのケースでは、ＵＥ１１５が、クリティカル機能（例えば、ミッションクリティカル機能）をサポートするように設計され得、ワイヤレス通信システム１００が、これらの機能のための超高信頼通信を提供するように構成され得る。
【００４１】
[0048]  いくつかのケースでは、ＵＥ１１５がまた、（例えば、ピア・ツー・ピア（Ｐ２Ｐ：peer-to-peer）またはデバイス・ツー・デバイス（Ｄ２Ｄ：device-to-device）プロトコルを使用して）他のＵＥ１１５と直接通信することが可能であり得る。Ｄ２Ｄ通信を利用するＵＥ１１５のグループのうちの１つまたは複数は、基地局１０５の地理的カバレッジエリア１１０内にあり得る。そのようなグループ内の他のＵＥ１１５は、基地局１０５の地理的カバレッジエリア１１０の外側にいるか、またはそれ以外の理由で（otherwise）基地局１０５からの送信を受信することが不可能であり得る。いくつかのケースでは、Ｄ２Ｄ通信を介して通信するＵＥ１１５のグループが、各ＵＥ１１５がグループ内の他の全てのＵＥ１１５に送信する一対多（１：Ｍ）システムを利用し得る。いくつかのケースでは、基地局１０５が、Ｄ２Ｄ通信のためのリソースのスケジューリングを容易にする。他のケースでは、Ｄ２Ｄ通信が、基地局１０５の関与なしにＵＥ１１５間でなされる。
【００４２】
[0049]  基地局１０５は、コアネットワーク１３０とおよび互いに通信し得る。例えば、基地局１０５は、バックホールリンク１３２を通して（例えば、Ｓ１または他のインターフェースを介して）コアネットワーク１３０とインターフェース接続し得る。基地局１０５は、直接的に（例えば、基地局１０５間で直接的に）または間接的に（例えば、コアネットワーク１３０を介して）のいずれかで、バックホールリンク１３４上で（例えば、Ｘ２または他のインターフェースを介して）互いに通信し得る。
【００４３】
[0050]  コアネットワーク１３０は、ユーザ認証、アクセス認可、追跡、インターネットプロトコル（ＩＰ：Internet Protocol）接続性、および他のアクセス、ルーティング、またはモビリティ機能を提供し得る。コアネットワーク１３０は、少なくとも１つのモビリティ管理エンティティ（ＭＭＥ：mobility management entity）と、少なくとも１つのサービングゲートウェイ（Ｓ−ＧＷ：serving gateway）と、少なくとも１つのパケットデータネットワーク（ＰＤＮ：Packet Data Network）ゲートウェイ（Ｐ−ＧＷ）とを含み得る発展型パケットコア（ＥＰＣ：evolved packet core）であり得る。ＭＭＥは、ＥＰＣに関連する基地局１０５によってサービス提供されるＵＥ１１５のためのモビリティ、認可、およびベアラ管理のような非アクセス層（例えば、制御プレーン）機能を管理し得る。ユーザＩＰパケットは、Ｓ−ＧＷを通して転送され得、Ｓ−ＧＷ自体は、Ｐ−ＧＷに接続され得る。Ｐ−ＧＷは、ＩＰアドレス割振りおよび他の機能を提供し得る。Ｐ−ＧＷは、ネットワークオペレータのＩＰサービスに接続され得る。オペレータのＩＰサービスには、インターネット、イントラネット、ＩＰマルチメディアサブシステム（ＩＭＳ：IP Multimedia Subsystem）、またはパケット交換（ＰＳ：Packet-Switched）ストリーミングサービスへのアクセスが含まれ得る。
【００４４】
[0051]  基地局１０５のようなネットワークデバイスのうちの少なくともいくつかは、アクセスノードコントローラ（ＡＮＣ：access node controller）の例であり得るアクセスネットワークエンティティのようなサブコンポーネントを含み得る。各アクセスネットワークエンティティは、無線ヘッド、スマート無線ヘッド、または送信／受信ポイント（ＴＲＰ：transmission/reception point）と呼ばれ得る、いくつかの他のアクセスネットワーク送信エンティティを通してＵＥ１１５と通信し得る。いくつかの構成では、各アクセスネットワークエンティティまたは基地局１０５の様々な機能が、様々なネットワークデバイス（例えば、無線ヘッドおよびアクセスネットワークコントローラ）にわたって分散されるか、または単一のネットワークデバイス（例えば、基地局１０５）に統合され得る。
【００４５】
[0052]  ワイヤレス通信システム１００は、典型的に３００ＭＨｚ〜３００ＧＨｚの範囲内の１つまたは複数の周波数帯域を使用して動作し得る。一般に、３００ＭＨｚから３ＧＨｚまでの範囲は、波長が約１デシメートルから１メートルの長さに及ぶため、極超短波（ＵＨＦ：ultra-high frequency）領域またはデシメートル帯域として知られている。ＵＨＦ波は、建物および環境特徴によって遮断または方向転換され得る。しかしながら、この波は、屋内に位置するＵＥ１１５にマクロセルがサービスを提供するのに十分に構造を貫通し得る。ＵＨＦ波の送信は、３００ＭＨｚ未満のスペクトルの高周波数（ＨＦ：high frequency）または超高周波数（ＶＨＦ：very high frequency）部分のより小さい周波数およびより長い波を使用する送信と比較して、より小さいアンテナおよびより短い範囲（例えば、１００ｋｍ未満）に関連付けられ得る。
【００４６】
[0053]  ワイヤレス通信システム１００はまた、センチメートル帯域としても知られている、３ＧＨｚから３０ＧＨｚまでの周波数帯域を使用する超高周波数（ＳＨＦ：super high frequency）領域において動作し得る。ＳＨＦ領域は、他のユーザからの干渉に耐えることができるデバイスによって日和見的に使用され得る、５ＧＨｚ ＩＳＭ（industrial, scientific, and medical）帯域のような帯域を含む。
【００４７】
[0054]  ワイヤレス通信システム１００はまた、ミリメートル帯域としても知られている、スペクトルの超高周波数（ＥＨＦ）領域（例えば、３０ＧＨｚ〜３００ＧＨｚ）において動作し得る。いくつかの例では、ワイヤレス通信システム１００が、ＵＥ１１５と基地局１０５との間のミリメートル波（ｍｍＷ）通信をサポートし得、それぞれのデバイスのＥＨＦアンテナは、ＵＨＦアンテナより一層小さく、間隔がより密接であり得る。いくつかのケースで、これは、ＵＥ１１５内のアンテナアレイの使用を容易にし得る。しかしながら、ＥＨＦ送信の伝搬は、ＳＨＦまたはＵＨＦ送信より一層大きい大気減衰およびより短い距離にさらされ得る（subject to）。本明細書で開示される技法は、１つまたは複数の異なる周波数領域を使用する送信にわたって採用され得、これらの周波数領域にわたる帯域の指定された使用は、国または規制団体ごとに異なり得る。
【００４８】
[0055]  いくつかのケースでは、ワイヤレス通信システム１００が、ライセンス無線周波数スペクトル帯域およびアンライセンス無線周波数スペクトル帯域の両方を利用し得る。例えば、ワイヤレス通信システム１００は、５ＧＨｚ ＩＳＭ帯域のようなアンライセンス帯域において、ＬＡＡ（License Assisted Access）、ＬＴＥ−Ｕ（LTE（登録商標）-Unlicensed）無線アクセス技術、またはＮＲ技術を採用し得る。アンライセンス無線周波数スペクトル帯域において動作するとき、基地局１０５およびＵＥ１１５のようなワイヤレスデバイスは、データを送信する前に周波数チャネルがクリアであることを確実にするためにリッスンビフォアトーク（ＬＢＴ）プロシージャを採用し得る。いくつかのケースでは、アンライセンス帯域における動作が、ライセンス帯域（例えば、ＬＡＡ）において動作するＣＣとともにＣＡ構成に基づき得る。アンライセンススペクトルにおける動作は、ダウンリンク送信、アップリンク送信、ピア・ツー・ピア送信、またはこれらの組合せを含み得る。アンライセンススペクトルにおける複信は、周波数分割複信（ＦＤＤ）、時分割複信（ＴＤＤ）、または両方の組合せに基づき得る。
【００４９】
[0056]  いくつかの例では、基地局１０５またはＵＥ１１５が、送信ダイバーシティ、受信ダイバーシティ、多入力多出力（ＭＩＭＯ：multiple-input multiple-output）通信、またはビームフォーミングのような技法を採用するために使用され得る複数のアンテナを装備し得る。例えば、ワイヤレス通信システム１００は、送信デバイス（例えば、基地局１０５）と受信デバイス（例えば、ＵＥ１１５）との間で送信方式を使用し得、ここで、送信デバイスは、複数のアンテナを装備し、受信デバイスは、１つまたは複数のアンテナを装備する。ＭＩＭＯ通信は、空間多重化と呼ばれ得る、異なる空間レイヤを介して複数の信号を送信または受信することによってスペクトル効率を高めるためにマルチパス信号伝搬を採用し得る。複数の信号は、例えば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、分離空間ストリーム（separate spatial stream）と呼ばれ得、同じデータストリーム（例えば、同じコードワード）または異なるデータストリームに関連するビットを搬送し得る。異なる空間レイヤは、チャネル測定および報告に使用される異なるアンテナポートに関連付けられ得る。ＭＩＭＯ技法には、複数の空間レイヤが同じ受信デバイスに送信されるシングルユーザＭＩＭＯ（ＳＵ−ＭＩＭＯ：single-user MIMO）と、複数の空間レイヤが複数のデバイスに送信されるマルチユーザＭＩＭＯ（ＭＵ−ＭＩＭＯ：multiple-user MIMO）とが含まれる。
【００５０】
[0057]  空間フィルタリング、指向性送信、または指向性受信とも呼ばれ得るビームフォーミングは、送信デバイスと受信デバイスとの間の空間経路に沿ってアンテナビーム（例えば、送信ビームまたは受信ビーム）を成形またはステアリングするために、送信デバイスまたは受信デバイス（例えば、基地局１０５またはＵＥ１１５）で使用され得る信号処理技法である。ビームフォーミングは、アンテナアレイに対して特定の向きで伝搬する信号が建設的干渉を経験し、他の信号が相殺的干渉を経験するように、アンテナアレイのアンテナ素子を介して通信される信号を組み合わせることによって達成され得る。アンテナ素子を介して通信される信号の調整は、送信デバイスまたは受信デバイスが、このデバイスに関連付けられたアンテナ素子の各々を介して搬送される信号に特定の振幅および位相オフセットを適用することを含み得る。アンテナ素子の各々に関連する調整は、（例えば、送信デバイスまたは受信デバイスのアンテナアレイに対してまたは何らかの他の向きに対して）特定の向きに関連するビームフォーミング重みセットによって定義され得る。
【００５１】
[0058]  一例では、基地局１０５が、ＵＥ１１５との指向性通信のためのビームフォーミング動作を行うために複数のアンテナまたはアンテナアレイを使用し得る。例えば、いくつかの信号（例えば、同期信号、基準信号、ビーム選択信号、または他の制御信号）は、基地局１０５によって異なる方向に複数回送信され得、それは、信号が、異なる送信方向に関連する異なるビームフォーミング重みセットに従って送信されることを含み得る。異なるビーム方向への送信は、基地局１０５による後続の送信および／または受信のためのビーム方向を（例えば、基地局１０５またはＵＥ１１５のような受信デバイスによって）識別するために使用され得る。特定の受信デバイスに関連するデータ信号のようないくつかの信号は、単一のビーム方向（例えば、ＵＥ１１５のような受信デバイスに関連する方向）に基地局１０５によって送信され得る。いくつかの例で、単一のビーム方向に沿った送信に関連するビーム方向は、異なるビーム方向に送信された信号に少なくとも部分的に基づいて決定され得る。例えば、ＵＥ１１５は、基地局１０５によって異なる方向に送信された信号のうちの１つまたは複数を受信し得、ＵＥ１１５は、最も高い信号品質で、そうでなければ許容可能な信号品質で、それが受信した信号を示すインジケーションを基地局１０５に報告し得る。これらの技法は、基地局１０５によって１つまたは複数の方向に送信される信号に関して説明されるが、ＵＥ１１５は、（例えば、ＵＥ１１５による後続の送信または受信のためのビーム方向を識別するために）異なる方向に複数回信号を送信するために、または（例えば、受信デバイスにデータを送信するために）単一の方向に信号を送信するために、同様の技法を採用し得る。
【００５２】
[0059]  受信デバイス（例えば、ｍｍＷ受信デバイスの例であり得るＵＥ１１５）は、同期信号、基準信号、ビーム選択信号、または他の制御信号のような様々な信号を基地局１０５から受信するとき、複数の受信ビームを試み得る。例えば、受信デバイスは、異なるアンテナサブアレイを介して受信することによって、異なるアンテナサブアレイに従って受信信号を処理することによって、アンテナアレイの複数のアンテナ素子で受信された信号に適用される異なる受信ビームフォーミング重みセットに従って受信することによって、またはアンテナアレイの複数のアンテナ素子で受信された信号に適用される異なる受信ビームフォーミング重みセットに従って受信信号を処理することによって、複数の受信方向を試み得、それらのいずれも、異なる受信ビームまたは受信方向に従った「リスニング」と呼ばれ得る。いくつかの例では、受信デバイスが、（例えば、データ信号を受信するとき）単一のビーム方向に沿って受信するために単一の受信ビームを使用し得る。単一の受信ビームは、異なる受信ビーム方向に従ったリスニングに少なくとも部分的に基づいて決定されたビーム方向（例えば、複数のビーム方向に従ったリスニングに少なくとも部分的に基づいて、最高の信号強度、最高の信号対ノイズ比、またはそうでなければ許容可能な信号品質を有すると決定されたビーム方向）にアラインされ得る。
【００５３】
[0060]  いくつかのケースで、基地局１０５またはＵＥ１１５のアンテナは、ＭＩＭＯ動作をサポートし得るか、またはビームフォーミングを送信もしくは受信し得る、１つまたは複数のアンテナアレイ内に位置し得る。例えば、１つまたは複数の基地局アンテナまたはアンテナアレイは、アンテナタワーのようなアンテナアセンブリにコロケートされ得る。いくつかのケースでは、基地局１０５に関連するアンテナまたはアンテナアレイが、様々な地理的ロケーションに位置し得る。基地局１０５は、ＵＥ１１５との通信のビームフォーミングをサポートするために基地局１０５が使用し得るアンテナポートのいくつかの行および列を有するアンテナアレイを有し得る。同様に、ＵＥ１１５は、様々なＭＩＭＯまたはビームフォーミング動作をサポートし得る１つまたは複数のアンテナアレイを有し得る。
【００５４】
[0061]  いくつかのケースでは、ワイヤレス通信システム１００が、階層化プロトコルスタックに従って動作するパケットベースのネットワークであり得る。ユーザプレーンでは、ベアラまたはパケットデータコンバージェンスプロトコル（ＰＤＣＰ：Packet Data Convergence Protocol）レイヤでの通信が、ＩＰベースであり得る。無線リンク制御（ＲＬＣ：Radio Link Control）レイヤは、いくつかのケースで、論理チャネル上で通信するためにパケットセグメンテーションおよびリアセンブリを行い得る。媒体アクセス制御（ＭＡＣ：Medium Access Control）レイヤは、優先度処理と、トランスポートチャネルへの論理チャネルの多重化とを行い得る。ＭＡＣレイヤはまた、リンク効率を改善するために、ＭＡＣレイヤで再送を提供するためにハイブリッド自動再送要求（ＨＡＲＱ：hybrid automatic repeat request）を使用し得る。制御プレーンにおいて、無線リソース制御（ＲＲＣ：Radio Resource Control）プロトコルレイヤは、ユーザプレーンデータのための無線ベアラをサポートするＵＥ１１５と基地局１０５またはコアネットワーク１３０との間のＲＲＣ接続の確立、構成、および維持を提供し得る。物理（ＰＨＹ：Physical）レイヤでは、トランスポートチャネルが物理チャネルにマッピングされ得る。
【００５５】
[0062]  いくつかのケースでは、ＵＥ１１５および基地局１０５が、データが成功裏に受信される可能性を高めるために、データの再送をサポートし得る。ＨＡＲＱフィードバックは、データが通信リンク１２５上で正しく受信される可能性を高める１つの技法である。ＨＡＲＱは、（例えば、周期的冗長検査（ＣＲＣ：cyclic redundancy check）を使用した）誤り検出、前方誤り訂正（ＦＥＣ：forward error correction）、および再送（例えば、自動再送要求（ＡＲＱ：automatic repeat request））の組合せを含み得る。ＨＡＲＱは、無線状態（例えば、信号対ノイズ状態）が良好でない際にＭＡＣレイヤでのスループットを改善し得る。いくつかのケースでは、ワイヤレスデバイスが、同スロットＨＡＲＱフィードバックをサポートし得、ここで、デバイスは、スロットにおける前のシンボルにおいて受信されたデータについてのＨＡＲＱフィードバックを特定のスロットにおいて提供し得る。他のケースで、デバイスは、後続のスロットにおいて、または何らかの他の時間インターバルに従って、ＨＡＲＱフィードバックを提供し得る。
【００５６】
[0063]  ＬＴＥまたはＮＲにおける時間インターバルは、基本時間単位の倍数で表され得、それは、例えば、Ｔｓ＝１／３０，７２０，０００秒のサンプリング期間を指し得る。通信リソースの時間インターバルは、各々が１０ミリ秒（ｍｓ）の持続時間を有する無線フレームに従って編成され得、ここで、フレーム期間は、Ｔｆ＝３０７，２００Ｔｓと表され得る。無線フレームは、０から１０２３までの範囲のシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（例えば、各シンボル期間にプリペンドされているサイクリックプレフィックスの長さに応じて）６または７つの変調シンボル期間を含み得る。サイクリックプレフィックスを除いて、各シンボル期間は、２０４８個のサンプリング期間を含み得る。いくつかのケースでは、サブフレームが、ワイヤレス通信システム１００の最小スケジューリング単位であり得、送信時間インターバル（ＴＴＩ）と呼ばれ得る。他のケースでは、ワイヤレス通信システム１００の最小スケジューリング単位が、サブフレームよりも短い可能性があるか、または（例えば、短縮ＴＴＩ（ｓＴＴＩ）のバーストにおいてもしくはｓＴＴＩを使用する選択されたコンポーネントキャリアにおいて）動的に選択され得る。
【００５７】
[0064]  いくつかのワイヤレス通信システムでは、スロットが、１つまたは複数のシンボルを含む複数のミニスロットにさらに分割され得る。いくつかの事例では、ミニスロットのシンボルまたはミニスロットが、スケジューリングの最小単位であり得る。各シンボルは、例えば、サブキャリア間隔または動作の周波数帯域に応じて持続時間が異なり得る。さらに、いくつかのワイヤレス通信システムは、複数のスロットまたはミニスロットが一緒にアグリゲートされ、ＵＥ１１５と基地局１０５との間の通信に使用されるスロットアグリゲーションを実施し得る。
【００５８】
[0065]  「キャリア」という用語は、通信リンク１２５上での通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、または他のシグナリングを搬送し得る。キャリアは、あらかじめ定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って配置され得る。キャリアは、（例えば、ＦＤＤモードにおいて）ダウンリンクまたはアップリンクであるか、または（例えば、ＴＤＤモードにおいて）ダウンリンクおよびアップリンク通信を搬送するように構成され得る。いくつかの例では、キャリア上で送信される信号波形が、（例えば、直交周波数分割多重化（ＯＦＤＭ）またはＤＦＴ−ｓ−ＯＦＤＭのようなマルチキャリア変調（ＭＣＭ：multi-carrier modulation）技法を使用して）複数のサブキャリアから構成され得る。
【００５９】
[0066]  キャリアの組織構造は、異なる無線アクセス技術（例えば、ＬＴＥ、ＬＴＥ−Ａ、ＬＴＥ−Ａ Ｐｒｏ、ＮＲ、等）によって異なり得る。例えば、キャリア上の通信は、各々が、ユーザデータと、このユーザデータを復号することをサポートするための制御情報またはシグナリングとを含み得るＴＴＩまたはスロットに従って編成され得る。キャリアはまた、専用捕捉シグナリング（例えば、同期信号またはシステム情報、等）と、キャリアのための動作を調整する制御シグナリングとを含み得る。（例えば、キャリアアグリゲーション構成における）いくつかの例では、キャリアがまた、他のキャリアのための動作を調整する捕捉シグナリングまたは制御シグナリングを有し得る。
【００６０】
[0067]  物理チャネルは、様々な技法に従ってキャリア上で多重化され得る。物理制御チャネルおよび物理データチャネルは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネルにおいて送信される制御情報が、異なる制御領域間で（例えば、共通制御領域または共通探索空間と１つまたは複数のＵＥ固有制御領域またはＵＥ固有探索空間との間で）カスケード式に分散され得る。
【００６１】
[0068]  キャリアが、無線周波数スペクトルの特定の帯域幅に関連付けられ得、いくつかの例で、キャリア帯域幅は、キャリアまたはワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、または８０ＭＨｚ）のうちの１つであり得る。いくつかの例では、サービス提供される各ＵＥ１１５が、キャリア帯域幅の一部分または全体にわたって動作するために構成され得る。他の例では、いくつかのＵＥ１１５が、キャリア内のあらかじめ定義された部分または範囲（例えば、サブキャリアまたはＲＢのセット）に関連付けられた狭帯域プロトコルタイプ（例えば、狭帯域プロトコルタイプの「帯域内」展開）を使用する動作のために構成され得る。
【００６２】
[0069]  ＭＣＭ技法を採用するシステムでは、リソースエレメントが、１つのシンボル期間（例えば、１つの変調シンボルの持続時間）と１つのサブキャリアとから構成され得、ここで、シンボル期間とサブキャリア間隔とは逆相関している。各リソースエレメントによって搬送されるビット数は、変調方式（例えば、変調方式の次数）に依存し得る。ゆえに、ＵＥ１１５が受信するリソースエレメントが多いほど、および変調方式の次数が高いほど、ＵＥ１１５のためのデータレートは高くなり得る。ＭＩＭＯシステムでは、ワイヤレス通信リソースが、無線周波数スペクトルリソースと、時間リソースと、空間リソース（例えば、空間レイヤ）との組合せを指し得、複数の空間レイヤの使用は、ＵＥ１１５との通信のためのデータレートをさらに増加させ得る。
【００６３】
[0070]  ワイヤレス通信システム１００のデバイス（例えば、基地局１０５またはＵＥ１１５）は、特定のキャリア帯域幅上での通信をサポートするハードウェア構成を有し得るか、またはキャリア帯域幅のセットのうちの１つ上での通信をサポートするように構成可能であり得る。いくつかの例で、ワイヤレス通信システム１００は、１つよりも多くの異なるキャリア帯域幅に関連するキャリアを介した同時通信をサポートできる基地局１０５および／またはＵＥ１１５を含み得る。
【００６４】
[0071]  ワイヤレス通信システム１００は、複数のセルまたはキャリア上でのＵＥ１１５との通信、キャリアアグリゲーション（ＣＡ：carrier aggregation）またはマルチキャリア動作と呼ばれ得る特徴、をサポートし得る。ＵＥ１１５は、キャリアアグリゲーション構成に従って、複数のダウンリンクＣＣおよび１つまたは複数のアップリンクＣＣで構成され得る。キャリアアグリゲーションは、ＦＤＤコンポーネントキャリアとＴＤＤコンポーネントキャリアの両方で使用され得る。
【００６５】
[0072]  いくつかのケースでは、ワイヤレス通信システム１００が、拡張コンポーネントキャリア（ｅＣＣ：enhanced component carriers）を利用し得る。ｅＣＣは、より広いキャリアまたは周波数チャネル帯域幅、より短いシンボル持続時間、より短いＴＴＩ持続時間、または修正された制御チャネル構成を含む１つまたは複数の特徴を特徴とし得る。いくつかのケースでは、ｅＣＣが、（例えば、複数のサービングセルが準最適または非理想的なバックホールリンクを有するとき）キャリアアグリゲーション構成またはデュアル接続性構成に関連付けられ得る。ｅＣＣはまた、（例えば、１つよりも多くのオペレータがスペクトルを使用することを許可される場合）アンライセンススペクトルまたは共有スペクトルにおいて使用するために構成され得る。広いキャリア帯域幅を特徴とするｅＣＣは、キャリア帯域幅全体を監視することが可能でないか、またはそうでなければ（例えば、電力を節約するために）限られたキャリア帯域幅を使用するように構成されたＵＥ１１５によって利用され得る１つまたは複数のセグメントを含み得る。
【００６６】
[0073]  いくつかのケースでは、ｅＣＣが、他のＣＣとは異なるシンボル持続時間を利用し得、それは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５のようなデバイスは、低減されたシンボル持続時間（例えば、１６．６７マイクロ秒）で（例えば、２０、４０、６０、８０ＭＨｚ、等の周波数チャネル帯域幅またはキャリア帯域幅に従って）広帯域信号を送信し得る。ｅＣＣにおけるＴＴＩは、１つまたは複数のシンボル期間から構成され得る。いくつかのケースで、ＴＴＩ持続時間（すなわち、ＴＴＩにおけるシンボル期間の数）は可変であり得る。
【００６７】
[0074]  ＮＲシステムのようなワイヤレス通信システムは、とりわけ、ライセンススペクトル帯域、共有スペクトル帯域、およびアンライセンススペクトル帯域の任意の組合せを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルが、特に、リソースの動的な垂直（例えば、周波数にわたる）および水平（例えば、時間にわたる）共有を通して、スペクトル利用およびスペクトル効率を増加させ得る。
【００６８】
[0075]  いくつかのケースでは、ワイヤレス通信システム１００が、同じサブフレーム内の２つの連続するｓＴＴＩにわたるＤＭＲＳ共有をサポートし得る。そのようなケースでは、第２のＴＴＩまたはｓＴＴＩにおけるダウンリンクデータ送信（すなわち、ＰＤＳＣＨまたはｓＰＤＳＣＨ）に割り振られるＲＢが、第１の（または先行する）ＴＴＩまたはｓＴＴＩにおいて使用されるＲＢのサブセットであり得、レートマッチングが、本明細書で説明される１つまたは複数の技法を使用して行われ得る。いくつかのケースで（例えば、ＤＭＲＳが現在のｓＴＴＩ（ｓＴＴＩ「ｎ＋１」）内に存在しないとき）、ＵＥ１１５は、現在のｓＴＴＩ（ｓＴＴＩ「ｎ＋１」）におけるｓＰＤＳＣＨがマッピングされる全てのｓＰＲＧまたはＲＢ（例えば、ｓＴＴＩ「ｎ」のｓＰＲＧまたはＲＢ）について、前のｓＴＴＩ（ｓＴＴＩ「ｎ」）内のＵＥ固有基準信号（例えば、ＤＭＲＳ）の存在を想定し得る。ゆえに、ＵＥ１１５は、前のｓＴＴＩ（ｓＴＴＩ「ｎ」）におけるｓＰＤＳＣＨに割り振られたＲＢを比較または追跡する必要がないであろう。このケースでは、ＵＥ１１５によるＤＭＲＳ存在の想定に従ったレートマッチング方式に従ってｓＰＤＳＣＨ割振りを提供することが、基地局１０５に委ねられ得る。いくつかの他のケースで、ｓＴＴＩ「ｎ＋１」におけるｓＰＤＳＣＨ割振りは、ｓＴＴＩ「ｎ」におけるｓＰＤＳＣＨ割振りのサブセットではなく、ＵＥ１１５は、ｓＴＴＩ「ｎ」におけるｓＰＤＳＣＨに使用可能でなかったＲＢの周りでｓＴＴＩ「ｎ＋１」のためのｓＰＤＳＣＨをレートマッチングし得る。いくつかのケースで、ｓＴＴＩ「ｎ＋１」のためのｓＰＤＳＣＨは、ｓＴＴＩ「ｎ」におけるｓＰＤＳＣＨと同じでもそれのためのＲＢのサブセットでもないであろう。そのようなケースで、ＵＥ１１５は、ｓＴＴＩ「ｎ＋１」のためのｓＰＤＳＣＨを受信することをドロップまたは抑制し得る。
【００６９】
[0076]  図２は、本開示の態様による、ＤＭＲＳ共有下でのｓＰＤＣＣＨ再使用インジケーション制約をサポートするワイヤレス通信システム２００の例を例示する。いくつかの例では、ワイヤレス通信システム２００が、ワイヤレス通信システム１００の態様を実施し得る。ワイヤレス通信システム２００は、図１を参照して説明されたＵＥ１１５および基地局１０５の例であり得る、ＵＥ１１５−ａおよび基地局１０５−ａを含み得る。ＵＥ１１５−ａおよび基地局１０５−ａは、ワイヤレス通信リンク１２５−ａ上で指向性ビーム（例えば、ｍｍＷスペクトル）または１つまたは複数の空間レイヤ（図示せず）を使用して通信し得る。
【００７０】
[0077]  いくつかのケースでは、ＵＥ１１５−ａが、ｓＴＴＩにわたって通信することが可能であり得る。さらに、ＵＥ１１５−ａは、制御情報を受信するための、１つまたは複数のＲＢを含む１つまたは複数のＲＢセットまたは制御リソースセット（ＣＯＲＥＳＥＴ：Control Resource Sets）が割り振られるか、またはそれを用いて構成され得る。いくつかのケースでは、ＵＥ１１５−ａが、ダウンリンクデータ送信を受信するためのリソース割振りを示すインジケーションを提供し得るダウンリンク許可のような、ＲＢセットにおけるＵＥ１１５−ａに固有の１つまたは複数の許可を見つけ得る。いくつかのケースでは、（例えば、ｓＰＤＣＣＨ送信のための）全ての構成されたＲＢが、所与のｓＴＴＩについて制御情報に使用されるわけではないであろう。このように、ＵＥ１１５−ａおよび基地局１０５−ａは、ＲＢリソース（例えば、ｓＤＣＩのような制御情報が受信されなかったＲＢリソース）をＰＤＳＣＨ上でのダウンリンクデータ送信に再使用し得る。いくつかのケースでは、ダウンリンクデータ送信のために割り振られたリソースが、制御情報のためのＲＢ割振り（またはＲＢセット）と重複し得る。そのようなケースでは、ＵＥ１１５−ａが、スケジューリングされたＰＤＳＣＨが重複するとき、スケジューリングされたダウンリンク共有チャネル（例えば、ＰＤＳＣＨまたはｓＰＤＳＣＨ）がＲＢセットの周りでレートマッチングされると想定し得る。いくつかのケースで、ＵＥ１１５−ａは、Ｌ１シグナリングに基づいて、ＰＤＳＣＨまたはｓＰＤＳＣＨがマッピングされ得るかまたはマッピングされないであろうＲＢセットを識別するように（例えば、ＵＥ固有無線リソース制御（ＲＲＣ）シグナリングによって）構成され得る。いくつかのケースで、スケジューリングされたＰＤＳＣＨまたはｓＰＤＳＣＨがＲＢセットと重複する場合、Ｌ１シグナリングは、スケジューリングされたＰＤＳＣＨまたはｓＰＤＳＣＨが、ＲＢセットの周りでレートマッチングされるか、ＲＢセットにおける１つまたは複数のリソースにマッピングされるかを示し得る。いくつかのケースで、各ＲＢセットは、図３を参照して本明細書で説明される、１つまたは複数の半静的レートマッチングモードまたは動的レートマッチングモードで構成され得る。
【００７１】
[0078]  いくつかのケースでは、チャネル推定に使用され得るＤＭＲＳが、同じサブフレーム内の２つの連続するｓＴＴＩにわたって共有され得る。いくつかの態様では、ＤＭＲＳがｓＴＴＩ「ｎ」において送信される場合、ＵＥ１１５−ａが、ｓＴＴＩ「ｎ」において送信されるＤＭＲＳがｓＴＴＩ「ｎ＋１」に使用され得るというインジケーションをｓＤＣＩにおいて受信し得る。そのようなケースで、ｓＴＴＩ「ｎ＋１」におけるｓＰＤＳＣＨ割振りは、ｓＴＴＩ「ｎ」におけるｓＰＤＳＣＨ割振りと同じであり得るか、またはそれのサブセットであり得る。他のケースで、ｓＴＴＩ「ｎ＋１」におけるｓＰＤＳＣＨ割振りは、（例えば、半静的レートマッチングおよび／またはｓＰＤＳＣＨに対するＬ１ベースのｓＰＤＣＣＨ再使用中）ｓＴＴＩ「ｎ」におけるｓＰＤＳＣＨ割振りのサブセットではないであろう。一例では、ｓＴＴＩ「ｎ＋１」におけるｓＰＤＳＣＨに割り振られたＲＢが、ｓＴＴＩ「ｎ」におけるｓＰＤＳＣＨに割り振られるＲＢのサブセットではない場合、ＵＥ１１５−ａが、ｓＴＴＩ「ｎ」におけるｓＰＤＳＣＨに使用可能でなかったＲＢの周りでｓＴＴＩ「ｎ＋１」のためのｓＰＤＳＣＨをレートマッチングし得るか、またはＵＥ１１５−ａは、ｓＴＴＩ「ｎ＋１」のためのｓＰＤＳＣＨを受信することをドロップまたは抑制し得る。
【００７２】
[0079]  図３は、本開示の態様による、ＤＭＲＳ共有下でのｓＰＤＣＣＨ再使用インジケーション制約をサポートするリソースグリッド３００の例を例示する。いくつかの例では、リソースグリッド３００が、ワイヤレス通信システム１００および／または２００の態様を実施し得る。
【００７３】
[0080]  前述したように、いくつかのケースでは、第１のＲＢセット３０５が、１つまたは複数の半静的レートマッチングモードで構成され得る。例示されるように、第１のレートマッチングモードは、ＵＥ１１５がｓＰＤＳＣＨ３１０のためにＲＢセット３０５のリソースを再使用し、ｓＤＣＩ３２０の周りでレートマッチングすることを伴い得る。いくつかのケースでは、ｓＰＤＳＣＨ３１０を割り振るｓＤＣＩ３２０がＲＢセット３０５において送信されない場合、レートマッチングが行われないであろう。例えば、ｓＤＣＩ３２０が所与のｓＴＴＩ（図示せず）における異なるＲＢセットにおいて送信される場合、ＲＢセット３０５のためのレートマッチングは行われないであろう（例えば、重複領域３１５がｓＰＤＳＣＨ３１０によって再使用され得る）。第２のレートマッチングモードでは、ＵＥ１１５が、ＲＢセット全体の周りでレートマッチングし得る。例えば、ｓＰＤＳＣＨ３１０は、ｓＰＤＳＣＨ３１０に関連するｓＤＣＩがＲＢセット３０５に位置していたかどうかにかかわらず、重複領域３１５の周りでレートマッチングされ得る。
【００７４】
[0081]  第３のレートマッチングモードでは、ｓＰＤＳＣＨをスケジューリングするために使用されるｓＤＣＩがＲＢセットにおいてＵＥ１１５によって識別される場合、ＵＥ１１５は、ＲＢセット全体の周りでレートマッチングし得る。例えば、ＵＥ１１５が第１のｓＴＴＩにおける第１のＲＢセット３０５内のｓＤＣＩ３２０を検出する場合、ＵＥ１１５は、第１のＲＢセット３０５の周りでレートマッチングし得る。しかしながら、ＵＥ１１５が複数のＲＢセットで構成される場合、ＵＥ１１５は、第１のｓＴＴＩにおけるｓＰＤＳＣＨ３１０と重複する他のＲＢセットの周りではレートマッチングしないであろう。
【００７５】
[0082]  第４の半静的レートマッチングモードでは、ＵＥ１１５が、ｓＰＤＳＣＨをスケジューリングするために使用されるｓＤＣＩがＲＢセットにおいて見つけられないかまたは識別されない場合、ＲＢセット全体の周りでレートマッチングし得る。そうでない場合、ＵＥ１１５は、ｓＰＤＳＣＨをスケジューリングするｓＤＣＩの周りでのみレートマッチングし得る。レートマッチングモードのうちの任意の１つにおいて、ｓＰＤＳＣＨをスケジューリングするｓＤＣＩが基地局１０５−ａによって送信され、かつ、２つ以上のＲＢセットが重複している場合、ｓＤＣＩは、両方のＲＢセットにおいて見つけられると想定され得る。
【００７６】
[0083]  他のケースでは、半静的レートマッチングモードに加えて、ＵＥ１１５が、動的レートマッチングをサポートすることが可能であり得る。いくつかの態様では、２ビットインジケーションフィールドが、基地局１０５−ａによってｓＤＣＩ３２０に追加され得る。いくつかのケースでは、ＵＥ１１５がｓＰＤＣＣＨを再使用するように上位レイヤによって構成される場合、以下のケースのうちの１つまたは複数が適用され得る。第１の例で、ＵＥ１１５が少なくとも２つのＲＢセットで構成される場合、ＵＥ１１５は、各ＲＢセットについての１ビットインジケーション（例えば、｛１，１｝）を受信し得る。いくつかのケースで、１ビットインジケーション（すなわち、２つのＲＢセットについて示される｛１，１｝）は、ＵＥ１１５が、リソースが第１のＲＢセット３０５およびｓＰＤＳＣＨ３１０に使用され得る重複領域３１５の周りでｓＰＤＳＣＨをレートマッチングすべきかどうかを指定し得る。
【００７７】
[0084]  ＵＥ１１５が１つのＲＢセットまたは２つのＲＢセットのいずれかで構成される場合、ＵＥ１１５は、ｓＤＣＩにおいて第１のＲＢセットについての２ビットインジケーション（例えば、｛２，０｝）を受信し得る。さらに、ＵＥ１１５は、２つのＲＢセットで構成される場合、第２のＲＢセットについての２ビットインジケーション（例えば、｛０，２｝）を受信し得る。いくつかのケースでは、第３のＲＢセット３２５を形成するｓＴＴＩ制御チャネル要素（ｓＣＣＥ）が、ｓＰＤＳＣＨ３３０と重複し得る。第３のＲＢセット３２５は、２つのグループ（例えば、グループＩ ｓＣＣＥ３３５およびグループＩＩ ｓＣＣＥ３４０）に分割され得、２ビットインジケーションは、レートマッチングを指定するために使用され得る。いくつかのケースでは、ｓＰＤＳＣＨ３３０がグループＩ ｓＣＣＥ３３５の周りでレートマッチングされるべきかどうかを第１のビットが示し得、第２のビットは、グループＩＩ ｓＣＣＥ３４０の周りでのレートマッチングを示し得る。第３のＲＢセット３２５は、２つのグループに均等に分割され得る。
【００７８】
[0085]  図４は、本開示の態様による、ＤＭＲＳ共有下でのｓＰＤＣＣＨ再使用インジケーション制約をサポートするリソースグリッド４００の例を例示する。いくつかの例では、リソースグリッド４００が、ワイヤレス通信システム１００および／または２００の態様によって実施され得る。
【００７９】
[0086]  本明細書で説明されるように、いくつかのケースでは、ＤＭＲＳ共有が、２つの連続するｓＴＴＩ４０５（例えば、ｓＴＴＩ４０５−ａおよびｓＴＴＩ４０５−ｂ）にわたってサポートされ得、ｓＴＴＩ４０５−ｂにおけるｓＰＤＳＣＨ４１０−ｂに割り振られたＲＢは、ｓＴＴＩ４０５−ａにおけるｓＰＤＳＣＨ４１０−ａに割り振られたＲＢのサブセットであり得る。領域４１５が、ｓＰＤＳＣＨ４１０−ｂのために再要求されたｓＰＤＣＣＨリソースを含むことに留意されるべきである。いくつかのケースでは、ＵＥ１１５が、ｓＴＴＩ４０５−ｂ中に、ｓＴＴＩ４０５−ａからのＤＭＲＳを再使用するとのインジケーションを受信し得る。そのようなケースで、本明細書で説明されるように、ｓＴＴＩ４０５−ｂに対して１ビットまたは２ビットのＬ１ベースのｓＰＤＣＣＨ再使用インジケーションを利用することの他に、ＵＥ１１５は、ｓＴＴＩ４０５−ａにおけるｓＰＤＳＣＨ４１０−ａに使用可能でなかったＲＢの周りでｓＰＤＳＣＨ４１０−ｂをレートマッチングし得る。いくつかの態様では、レートマッチングが、ｓＴＴＩ４０５−ａにおけるＤＣＩ４２０−ａによって占有されたＲＢの周りで行われた場合、ｓＰＤＳＣＨレートマッチングは、ｓＰＤＳＣＨ４１０−ｂのＤＣＩ４２０−ｂおよび領域４２５（例えば、ｓＴＴＩ４０５−ａにおけるＤＣＩ４２０−ａに対応するｓＴＴＩ４０５−ｂ内の領域）の周りで行われ得る。ＤＣＩ４２０−ａは、例えば、ｓＰＤＳＣＨ４１０−ｂに関連するＤＣＩ、またはｓＰＤＳＣＨ４１０−ｂに関連しないＤＣＩ（例えば、ｓＰＤＳＣＨ４１０−ａのための許可、異なるｓＰＤＳＣＨのための許可、または許可を含まない）であり得る。いくつかのケースでは、ＤＣＩ４２０−ｂおよび領域４２５の周りでのレートマッチングが、ｓＴＴＩ４０５−ａからのＤＭＲＳを使用して、ｓＴＴＩ４０５−ｂにおけるｓＰＤＳＣＨ４１０−ｂの全てのＲＢのためのチャネル推定を可能にし得る。
【００８０】
[0087]  追加的または代替的に、ｓＰＤＳＣＨ４１０−ｂが単一レイヤを介して送信される場合、領域４２５の周りのレートマッチングは行われないであろう。ゆえに、ＤＣＩ４２０−ａにおいて送信されるＤＭＲＳは、単一レイヤ送信のためのＤＣＩ４２０とｓＰＤＳＣＨ４１０との間のアンテナポート対応のため、ｓＴＴＩ４０５−ｂにおけるｓＰＤＳＣＨ復調に使用され得る。ゆえに、領域４２５の周りでレートマッチングすべきかどうかの決定は、ｓＰＤＳＣＨ４１０−ｂのためのレイヤの数に依存し得る。
【００８１】
[0088]  図５は、本開示の態様による、ＤＭＲＳ共有下でのｓＰＤＣＣＨ再使用インジケーション制約をサポートするプロセスフロー５００の例を例示する。いくつかの例では、プロセスフロー５００が、ワイヤレス通信システム１００および／または２００の態様によって実施され得る。さらに、プロセスフロー５００は、図１および図２を参照して説明されたＵＥ１１５および基地局１０５の例であり得る、ＵＥ１１５−ｂおよび基地局１０５−ｂによって実施され得る。いくつかの例で、プロセスフロー５００によって例示されるプロセスは、ｍｍＷスペクトルにおいて動作するワイヤレス通信システムにおいて実施され得る。
【００８２】
[0089]  ５０５では、ＵＥ１１５−ｂが、基地局１０５−ｂから、第１のＴＴＩまたはｓＴＴＩにおいて周波数リソースの第１のセット上で、ダウンリンクデータを含む第１のダウンリンク共有送信を受信し得る。
【００８３】
[0090]  ５１０では、ＵＥ１１５−ｂが、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。いくつかのケースでは、周波数リソースの第１のセットの一部ではない周波数リソースの第２のセットのリソースが第１のＴＴＩにおける第２のダウンリンク制御送信に関連付けられるとＵＥ１１５−ｂが決定し得、ここで、第２のダウンリンク制御送信は、制御チャネル復調基準信号を含む。いくつかのケースで、ダウンリンク制御送信はまた、レートマッチングインジケータを含み得る。
【００８４】
[0091]  他のケースでは、ＵＥ１１５−ｂが、周波数リソースの第２のセットが周波数リソースの第１のセットの一部ではないリソースを含むと決定し得（例えば、ｓＴＴＩ「ｎ＋１」におけるｓＰＤＳＣＨに割り振られたＲＢは、ｓＴＴＩ「ｎ」において使用されるＲＢのサブセットではない）、５２０で受信を抑制し得る。
【００８５】
[0092]  ５１５では、ＵＥ１１５−ｂが、周波数リソースの第１のセットの一部ではない周波数リソースの第２のセットのリソースの周りで第２のダウンリンク共有チャネル送信をレートマッチングするかどうかを決定し得る。いくつかのケースで、第２のダウンリンク共有チャネル送信をレートマッチングするかどうかを決定することは、第２のダウンリンク共有チャネル送信のレイヤの数、５１０で受信されたレートマッチングインジケータ、または両方に少なくとも部分的に基づき得る。
【００８６】
[0093]  ５２０では、ＵＥ１１５−ｂが、第２のダウンリンク共有チャネル送信をレートマッチングするという５１５での決定に少なくとも部分的に基づいて、第２のＴＴＩの周波数リソースの第２のセットのサブセット上で第２のダウンリンク共有チャネル送信（または少なくともその一部分）を受信し得る。他のケースでは、ＵＥ１１５−ｂが、５１０での決定に基づいて、第２のダウンリンク共有チャネル送信の受信を抑制またはドロップし得る。そのようなケースで、ＵＥ１１５−ｂは、５１０でのダウンリンク制御送信に応答して否定応答メッセージを送信し得る。
【００８７】
[0094]  図６は、本開示の態様による、ＤＭＲＳ共有下でのｓＰＤＣＣＨ再使用インジケーション制約をサポートするワイヤレスデバイス６０５のブロック図６００を示す。ワイヤレスデバイス６０５は、本明細書で説明されたＵＥ１１５の態様の例であり得る。ワイヤレスデバイス６０５は、受信機６１０と、通信マネジャ６１５と、送信機６２０とを含み得る。ワイヤレスデバイス６０５はまた、プロセッサを含み得る。これらの構成要素の各々は、（例えば、１つまたは複数のバスを介して）互いに通信し得る。
【００８８】
[0095]  受信機６１０は、パケット、ユーザデータ、または様々な情報チャネルに関連する制御情報（例えば、制御チャネル、データチャネル、およびＤＭＲＳ共有下でのｓＰＤＣＣＨ再使用インジケーション制約に関する情報、等）のような情報を受信し得る。情報は、デバイスの他の構成要素に渡され得る。受信機６１０は、図９を参照して説明されるトランシーバ９２０の態様の例であり得る。受信機６１０は、単一のアンテナまたはアンテナのセットを利用し得る。
【００８９】
[0096]  通信マネジャ６１５は、図９を参照して説明される通信マネジャ９１０の態様の例であり得る。
【００９０】
[0097]  通信マネジャ６１５および／またはその様々なサブコンポーネントのうちの少なくともいくつかは、ハードウェア、プロセッサによって実行されるソフトウェア、ファームウェア、またはそれらの任意の組合せで実施され得る。プロセッサによって実行されるソフトウェアで実施される場合、通信マネジャ６１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェア構成要素、または本開示で説明される機能を行うように設計されたそれらの任意の組合せによって実行され得る。通信マネジャ６１５および／またはその様々なサブコンポーネントのうちの少なくともいくつかは、様々な位置に物理的に配置され得、これには、機能の複数の部分が１つまたは複数の物理デバイスによって異なる物理ロケーションで実施されるように分散されることが含まれる。いくつかの例では、通信マネジャ６１５および／またはその様々なサブコンポーネントのうちの少なくともいくつかが、本開示の様々な態様に従った別個の異なる構成要素であり得る。他の例では、通信マネジャ６１５および／またはその様々なサブコンポーネントのうちの少なくともいくつかが、本開示の様々な態様に従って、入力／出力（Ｉ／Ｏ）構成要素、トランシーバ、ネットワークサーバ、別のコンピューティングデバイス、本開示で説明される１つまたは複数の他の構成要素、またはそれらの組合せを含むがそれらに限定されない、１つまたは複数の他のハードウェア構成要素と組み合わされ得る。
【００９１】
[0098]  通信マネジャ６１５は、第１のＴＴＩにおいて周波数リソースの第１のセット上で第１のダウンリンク共有チャネル送信を受信し、第２のダウンリンク共有チャネル送信のための第２のＴＴＩの周波数リソースの第２のセットの許可を含むダウンリンク制御送信を受信し、ここで、ダウンリンク制御送信は、第１のダウンリンク共有チャネル送信の復調基準信号が第２のダウンリンク共有チャネル送信に再使用されるというインジケーションを含む、周波数リソースの第１のセットの一部ではない周波数リソースの第２のセットのリソースの周りで第２のダウンリンク共有チャネル送信をレートマッチングするかどうかを決定し、第２のダウンリンク共有チャネル送信をレートマッチングするかどうかを決定することに基づいて、第２のＴＴＩの周波数リソースの第２のセットの少なくともサブセット上で第２のダウンリンク共有チャネル送信を受信し得る。
【００９２】
[0099]  いくつかのケースで、通信マネジャ６１５はまた、第１のＴＴＩにおいて周波数リソースの第１のセット上で第１のダウンリンク共有チャネル送信を受信し、第２のダウンリンク共有チャネル送信のための第２のＴＴＩの周波数リソースの第２のセットの許可を含むダウンリンク制御送信を受信し、ここで、ダウンリンク制御送信は、第１のダウンリンク共有チャネル送信の復調基準信号が第２のダウンリンク共有チャネル送信に再使用されるというインジケーションを含むもので、周波数リソースの第２のセットが周波数リソースの第１のセットの一部ではないリソースを含むと決定し、第２のダウンリンク共有チャネル送信の受信を抑制し得る。いくつかのケースで、第１のダウンリンク共有チャネル送信の復調基準信号は、第２のＴＴＩの全ての周波数リソースに再使用され得る。
【００９３】
[0100]  送信機６２０は、デバイスの他の構成要素によって生成された信号を送信し得る。いくつかの例で、送信機６２０は、トランシーバモジュールにおいて受信機６１０とコロケートされ得る。例えば、送信機６２０は、図９を参照して説明されるトランシーバ９２０の態様の例であり得る。送信機６２０は、単一のアンテナまたはアンテナのセットを利用し得る。
【００９４】
[0101]  図７は、本開示の態様による、ＤＭＲＳ共有下でのｓＰＤＣＣＨ再使用インジケーション制約をサポートするワイヤレスデバイス７０５のブロック図７００を示す。ワイヤレスデバイス７０５は、図１および６０５を参照して説明されたワイヤレスデバイス６０５またはＵＥ１１５の態様の例であり得る。ワイヤレスデバイス７０５は、受信機７１０と、通信マネジャ７１５と、送信機７３５とを含み得る。ワイヤレスデバイス７０５はまた、プロセッサを含み得る。これらの構成要素の各々は、（例えば、１つまたは複数のバスを介して）互いに通信し得る。
【００９５】
[0102]  受信機７１０は、パケット、ユーザデータ、または様々な情報チャネルに関連する制御情報（例えば、制御チャネル、データチャネル、およびＤＭＲＳ共有下でのｓＰＤＣＣＨ再使用インジケーション制約に関する情報、等）のような情報を受信し得る。情報は、デバイスの他の構成要素に渡され得る。受信機７１０は、図９を参照して説明されるトランシーバ９２０の態様の例であり得る。受信機７１０は、単一のアンテナまたはアンテナのセットを利用し得る。
【００９６】
[0103]  通信マネジャ７１５は、図９を参照して説明される通信マネジャ９１０の態様の例であり得る。
【００９７】
[0104]  通信マネジャ７１５はまた、ダウンリンクデータ構成要素７２０と、制御チャネル構成要素７２５と、レートマッチング構成要素７３０とを含み得る。
【００９８】
[0105]  ダウンリンクデータ構成要素７２０は、第１のＴＴＩにおいて周波数リソースの第１のセット上で第１のダウンリンク共有チャネル送信を受信し、第２のダウンリンク共有チャネル送信をレートマッチングするかどうかを決定することに基づいて、第２のＴＴＩの周波数リソースの第２のセットの少なくともサブセット上で第２のダウンリンク共有チャネル送信を受信し得る。
【００９９】
[0106]  制御チャネル構成要素７２５は、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。
【０１００】
[0107]  レートマッチング構成要素７３０は、周波数リソースの第１のセットの一部ではない周波数リソースの第２のセットのリソースの周りで第２のダウンリンク共有チャネル送信をレートマッチングするかどうかを決定し得る。
【０１０１】
[0108]  ダウンリンクデータ構成要素７２０は、第１のＴＴＩにおいて周波数リソースの第１のセット上で第１のダウンリンク共有チャネル送信を受信し、第２のダウンリンク共有チャネル送信の受信を抑制し得る。
【０１０２】
[0109]  制御チャネル構成要素７２５は、第２のダウンリンク共有チャネル送信のための第２のＴＴＩの周波数リソースの第２のセットの許可を含むダウンリンク制御送信を受信し、ここで、ダウンリンク制御送信は、第１のダウンリンク共有チャネル送信の復調基準信号が第２のダウンリンク共有チャネル送信に再使用されるというインジケーションを含む、周波数リソースの第２のセットが周波数リソースの第１のセットの一部ではないリソースを含むと決定し得る。いくつかのケースで、第１のダウンリンク共有チャネル送信の復調基準信号は、第２のＴＴＩの全ての周波数リソースに再使用され得る。
【０１０３】
[0110]  送信機７３５は、デバイスの他の構成要素によって生成された信号を送信し得る。いくつかの例で、送信機７３５は、トランシーバモジュールにおいて受信機７１０とコロケートされ得る。例えば、送信機７３５は、図９を参照して説明されるトランシーバ９２０の態様の例であり得る。送信機７３５は、単一のアンテナまたはアンテナのセットを利用し得る。
【０１０４】
[0111]  図８は、本開示の態様による、ＤＭＲＳ共有下でのｓＰＤＣＣＨ再使用インジケーション制約をサポートする通信マネジャ８０５のブロック図８００を示す。通信マネジャ８０５は、図６、図７、および図９を参照して説明される通信マネジャ６１５、通信マネジャ７１５、または通信マネジャ９１０の態様の例であり得る。通信マネジャ８０５は、ダウンリンクデータ構成要素８１０と、制御チャネル構成要素８１５と、レートマッチング構成要素８２０と、復調構成要素８２５とを含み得る。これらのモジュールの各々は、（例えば、１つまたは複数のバスを介して）互いに直接的または間接的に通信し得る。
【０１０５】
[0112]  ダウンリンクデータ構成要素８１０は、第１のＴＴＩにおいて周波数リソースの第１のセット上で第１のダウンリンク共有チャネル送信を受信し得る。いくつかの例で、ダウンリンクデータ構成要素８１０は、第２のダウンリンク共有チャネル送信をレートマッチングするかどうかを決定することに基づいて、第２のＴＴＩの周波数リソースの第２のセットの少なくともサブセット上で第２のダウンリンク共有チャネル送信を受信し得る。いくつかの例で、ダウンリンクデータ構成要素８１０は、第１のＴＴＩにおいて周波数リソースの第１のセット上で第１のダウンリンク共有チャネル送信を受信し得る。いくつかの例で、ダウンリンクデータ構成要素８１０は、第２のダウンリンク共有チャネル送信の受信を抑制し得る。いくつかの例で、ダウンリンクデータ構成要素８１０は、第２のＴＴＩにおいてリソース上で第２のダウンリンク共有チャネル送信の少なくとも一部分を受信し得る。
【０１０６】
[0113]  制御チャネル構成要素８１５は、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。いくつかの例で、制御チャネル構成要素８１５は、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。いくつかの例で、制御チャネル構成要素８１５は、周波数リソースの第２のセットが周波数リソースの第１のセットの一部ではないリソースを含むと決定し得る。いくつかの例で、周波数リソースの第２のセットは、第１のＴＴＩにおける第２のダウンリンク制御送信に対応するリソースを包含する。いくつかの例で、制御チャネル構成要素８１５は、周波数リソースの第１のセットの一部ではない周波数リソースの第２のセットのリソースが第１のＴＴＩにおける第２のダウンリンク制御送信に関連付けられると決定し得、ここで、第２のダウンリンク制御送信は、制御チャネル復調基準信号を含む。いくつかの例で、制御チャネル構成要素８１５は、ダウンリンク制御送信に応答して否定応答メッセージを送信し得る。
【０１０７】
[0114]  レートマッチング構成要素８２０は、周波数リソースの第１のセットの一部ではない周波数リソースの第２のセットのリソースの周りで第２のダウンリンク共有チャネル送信をレートマッチングするかどうかを決定し得る。いくつかの例で、第２のダウンリンク共有チャネル送信をレートマッチングするかどうかを決定することは、第２のダウンリンク共有チャネル送信のレイヤの数に基づく。いくつかの例で、ダウンリンク制御送信は、レートマッチングインジケータを含む。いくつかの例で、第２のダウンリンク共有チャネル送信をレートマッチングするかどうかを決定することは、レートマッチングインジケータに基づく。いくつかの例で、レートマッチングインジケータは、周波数リソースの第２のセットのリソースの第１のグループに関連する第１のインジケータと、周波数リソースの第２のセットのリソースの第２のグループに関連する第２のインジケータとを含む。いくつかの例で、レートマッチングするかどうかを決定することは、リソースの第１のグループおよびリソースの第２のグループのための周波数リソースの第１のセットの一部ではない周波数リソースの第２のセットのリソースの周りでレートマッチングするかどうかを決定することを含む。いくつかの例で、第２のダウンリンク共有チャネル送信をレートマッチングするかどうかを決定することは、第１のＴＴＩにおける第２のダウンリンク制御送信に対応するリソースの周りで第２のダウンリンク共有チャネル送信をレートマッチングすると決定することを備える。
【０１０８】
[0115]  復調構成要素８２５は、制御チャネル復調基準信号を使用して第２のダウンリンク共有チャネル送信の少なくとも一部分を復調し得る。
【０１０９】
[0116]  図９は、本開示の態様による、ＤＭＲＳ共有下でのｓＰＤＣＣＨ再使用インジケーション制約をサポートするデバイス９０５を含むシステム９００の図を示す。デバイス９０５は、例えば、図６および図７を参照して説明されたワイヤレスデバイス６０５、ワイヤレスデバイス７０５、またはＵＥ１１５の例であり得るか、またはそれの構成要素を含み得る。デバイス９０５は、通信マネジャ９１０と、Ｉ／Ｏコントローラ９１５と、トランシーバ９２０と、アンテナ９２５と、メモリ９３０と、プロセッサ９４０とを含む、通信を送信および受信するための構成要素を含む双方向の音声およびデータ通信のための構成要素を含み得る。これらの構成要素は、１つまたは複数のバス（例えば、バス９４５）を介して電子通信状態にあり得る。
【０１１０】
[0117]  Ｉ／Ｏコントローラ９１５は、デバイス９０５のための入力および出力信号を管理し得る。Ｉ／Ｏコントローラ９１５はまた、デバイス９０５に統合されていない周辺機器を管理し得る。いくつかのケースでは、Ｉ／Ｏコントローラ９１５が、外部周辺機器への物理的接続またはポートを表し得る。いくつかのケースでは、Ｉ／Ｏコントローラ９１５が、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）のようなオペレーティングシステムまたは別の既知のオペレーティングシステムを利用し得る。他のケースでは、Ｉ／Ｏコントローラ９１５が、モデム、キーボード、マウス、タッチスクリーン、または同様のデバイスを表すか、またはそれらとインタラクトし得る。いくつかのケースでは、Ｉ／Ｏコントローラ９１５が、プロセッサの一部として実施され得る。いくつかのケースでは、ユーザが、Ｉ／Ｏコントローラ９１５を介してまたはＩ／Ｏコントローラ９１５によって制御されるハードウェア構成要素を介して、デバイス９０５とインタラクトし得る。
【０１１１】
[0118]  トランシーバ９２０は、上で説明されたように、１つまたは複数のアンテナ、ワイヤードリンク、またはワイヤレスリンクを介して双方向に通信し得る。例えば、トランシーバ９２０は、ワイヤレストランシーバを表し得、別のワイヤレストランシーバと双方向に通信し得る。トランシーバ９２０はまた、パケットを変調し、変調されたパケットを送信のためにアンテナに提供し、アンテナから受信されたパケットを復調するためのモデムを含み得る。
【０１１２】
[0119]  いくつかのケースで、ワイヤレスデバイスは、単一のアンテナ９２５を含み得る。しかしながら、いくつかのケースで、デバイスは、複数のワイヤレス送信を同時に送信または受信することが可能であり得る１つよりも多くのアンテナ９２５を有し得る。
【０１１３】
[0120]  メモリ９３０は、ランダムアクセスメモリ（ＲＡＭ）および読取り専用メモリ（ＲＯＭ）を含み得る。メモリ９３０は、実行されると、本明細書で説明される様々な機能を行うことをプロセッサにさせる命令を含むコンピュータ読取可能でコンピュータ実行可能なソフトウェア９３５を記憶し得る。いくつかのケースで、メモリ９３０は、とりわけ、周辺構成要素またはデバイスとのインタラクションのような基本ハードウェアまたはソフトウェア動作を制御し得る基本入出力システム（ＢＩＯＳ）を含み得る。
【０１１４】
[0121]  プロセッサ９４０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲートもしくはトランジスタ論理構成要素、ディスクリートハードウェア構成要素、またはそれらの任意の組合せ）を含み得る。いくつかのケースでは、プロセッサ９４０が、メモリコントローラを使用してメモリアレイを動作するように構成され得る。他のケースでは、メモリコントローラが、プロセッサ９４０に統合され得る。プロセッサ９４０は、様々な機能（例えば、ＤＭＲＳ共有下でのｓＰＤＣＣＨ再使用インジケーション制約をサポートする機能またはタスク）を行うために、メモリに記憶されたコンピュータ読取可能な命令を実行するように構成され得る。
【０１１５】
[0122]  図１０は、本開示の態様による、ＤＭＲＳ共有下でのｓＰＤＣＣＨ再使用インジケーション制約のための方法１０００を例示するフローチャートを示す。方法１０００の動作は、本明細書で説明されたＵＥ１１５またはそれの構成要素によって実施され得る。例えば、方法１０００の動作は、図６〜図９を参照して説明された、通信マネジャによって行われ得る。いくつかの例では、ＵＥ１１５が、本明細書で説明された機能を行うようにデバイスの機能要素を制御するためのコードのセットを実行し得る。追加的または代替的に、ＵＥ１１５は、専用ハードウェアを使用して、本明細書で説明される機能の態様を行い得る。
【０１１６】
[0123]  １００５では、ＵＥ１１５が、第１のＴＴＩにおいて周波数リソースの第１のセット上で第１のダウンリンク共有チャネル送信を受信し得る。１００５の動作は、本明細書で説明された方法に従って行われ得る。特定の例では、１００５の動作の態様が、図６〜図９を参照して説明されたダウンリンクデータ構成要素によって行われ得る。
【０１１７】
[0124]  １０１０では、ＵＥ１１５が、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。１０１０の動作は、本明細書で説明された方法に従って行われ得る。特定の例では、１０１０の動作の態様が、図６〜図９を参照して説明された制御チャネル構成要素によって行われ得る。
【０１１８】
[0125]  １０１５では、ＵＥ１１５が、周波数リソースの第１のセットの一部ではない周波数リソースの第２のセットのリソースの周りで第２のダウンリンク共有チャネル送信をレートマッチングするかどうかを決定し得る。１０１５の動作は、本明細書で説明された方法に従って行われ得る。特定の例では、１０１５の動作の態様が、図６〜図９を参照して説明されたレートマッチング構成要素によって行われ得る。
【０１１９】
[0126]  １０２０では、ＵＥ１１５が、第２のダウンリンク共有チャネル送信をレートマッチングするかどうかを決定することに少なくとも部分的に基づいて、第２のＴＴＩの周波数リソースの第２のセットの少なくともサブセット上で第２のダウンリンク共有チャネル送信を受信し得る。１０２０の動作は、本明細書で説明された方法に従って行われ得る。特定の例では、１０２０の動作の態様が、図６〜図９を参照して説明されたダウンリンクデータ構成要素によって行われ得る。
【０１２０】
[0127]  図１１は、本開示の態様による、ＤＭＲＳ共有下でのｓＰＤＣＣＨ再使用インジケーション制約のための方法１１００を例示するフローチャートを示す。方法１１００の動作は、本明細書で説明されたＵＥ１１５またはそれの構成要素によって実施され得る。例えば、方法１１００の動作は、図６〜図９を参照して説明された、通信マネジャによって行われ得る。いくつかの例では、ＵＥ１１５が、本明細書で説明された機能を行うようにデバイスの機能要素を制御するためのコードのセットを実行し得る。追加的または代替的に、ＵＥ１１５は、専用ハードウェアを使用して、本明細書で説明される機能の態様を行い得る。
【０１２１】
[0128]  １１０５では、ＵＥ１１５が、第１のＴＴＩにおいて周波数リソースの第１のセット上で第１のダウンリンク共有チャネル送信を受信し得る。１１０５の動作は、本明細書で説明された方法に従って行われ得る。特定の例では、１１０５の動作の態様が、図６〜図９を参照して説明されたダウンリンクデータ構成要素によって行われ得る。
【０１２２】
[0129]  １１１０では、ＵＥ１１５が、第２のダウンリンク共有チャネル送信のための第２のＴＴＩの周波数リソースの第２のセットの許可を含むダウンリンク制御送信を受信し得、ここで、ダウンリンク制御送信は、第１のダウンリンク共有チャネル送信の復調基準信号が第２のダウンリンク共有チャネル送信に再使用されるというインジケーションを含む。１１１０の動作は、本明細書で説明された方法に従って行われ得る。特定の例では、１１１０の動作の態様が、図６〜図９を参照して説明された制御チャネル構成要素によって行われ得る。
【０１２３】
[0130]  １１１５では、ＵＥ１１５が、周波数リソースの第２のセットが周波数リソースの第１のセットの一部ではないリソースを含むと決定し得る。１１１５の動作は、本明細書で説明された方法に従って行われ得る。特定の例では、１１１５の動作の態様が、図６〜図９を参照して説明された制御チャネル構成要素によって行われ得る。
【０１２４】
[0131]  １１２０では、ＵＥ１１５が、第２のダウンリンク共有チャネル送信の受信を抑制し得る。１１２０の動作は、本明細書で説明された方法に従って行われ得る。特定の例では、１１２０の動作の態様が、図６〜図９を参照して説明されたダウンリンクデータ構成要素によって行われ得る。
【０１２５】
[0132]  上で説明された方法が、可能な実施形態を説明していること、動作およびステップが並べ替えられ得るかまたは場合によっては修正され得ること、そして他の実施形態が可能であることは留意されるべきである。さらに、方法のうちの２つ以上からの態様が組み合わされ得る。
【０１２６】
[0133]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような様々なワイヤレス通信システムに使用され得る。ＣＤＭＡシステムは、ＣＤＭＡ２０００、ユニバーサル地上無線アクセス（ＵＴＲＡ）、等のような無線技術を実施し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００ １Ｘ、１Ｘ、等と呼ばれ得る。ＩＳ−８５６（ＴＩＡ−８５６）は、一般に、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術を実施し得る。
【０１２７】
[0134]  ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術を実施し得る。ＵＴＲＡおよびＥ−ＵＴＲＡは、ユニバーサルモバイル電気通信システム（ＵＭＴＳ）の一部である。ＬＴＥ、ＬＴＥ−Ａ、およびＬＴＥ−Ａ Ｐｒｏは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａ Ｐｒｏ、ＮＲ、およびＧＳＭは、「第３世代パートナーシッププロジェクト」（３ＧＰＰ（登録商標））という名称の団体からの文書に記載されている。ＣＤＭＡ２０００およびＵＭＢは、「第３世代パートナーシッププロジェクト２」（３ＧＰＰ２）という名称の団体からの文書に記載されている。本明細書で説明された技法は、上述のシステムおよび無線技術並びに他のシステムおよび無線技術に使用され得る。ＬＴＥ、ＬＴＥ−Ａ、ＬＴＥ−Ａ Ｐｒｏ、またはＮＲシステムの態様が例示を目的として説明され得、説明の大部分においてＬＴＥ、ＬＴＥ−Ａ、ＬＴＥ−Ａ Ｐｒｏ、またはＮＲ用語が使用され得るが、本明細書で説明された技法は、ＬＴＥ、ＬＴＥ−Ａ、ＬＴＥ−Ａ Ｐｒｏ、またはＮＲアプリケーションを超えて適用可能である。
【０１２８】
[0135]  マクロセルは一般に、比較的広い地理的エリア（例えば、半径数キロメートル）をカバーし、ネットワークプロバイダにサービス加入しているＵＥ１１５による無制限アクセスを可能にし得る。スモールセルは、マクロセルと比較して、より低い電力の基地局１０５に関連付けられ得、スモールセルは、マクロセルと同じかまたは異なる（例えば、ライセンス、アンライセンス、等）周波数帯域において動作し得る。スモールセルは、様々な例に従って、ピコセル、フェムトセル、およびマイクロセルを含み得る。例えば、ピコセルは、狭い地理的エリアをカバーし得、ネットワークプロバイダにサービス加入しているＵＥ１１５による無制限アクセスを可能にし得る。フェムトセルもまた、狭い地理的エリア（例えば、自宅）をカバーし得、このフェムトセルと関連があるＵＥ１１５（例えば、クローズド加入者グループ（ＣＳＧ）のＵＥ１１５、自宅の中にいるユーザのＵＥ１１５、等）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセルをサポートし得、１つまたは複数のコンポーネントキャリアを使用する通信をサポートもし得る。
【０１２９】
[0136]  ワイヤレス通信システム１００または本明細書で説明されたシステムは、同期動作または非同期動作をサポートし得る。同期動作の場合、基地局１０５は、同様のフレームタイミングを有し得、異なる基地局１０５からの送信は、時間的におおまかにアラインされ得る。非同期動作の場合、基地局１０５は、異なるフレームタイミングを有し得、異なる基地局１０５からの送信は、時間的にアラインされないであろう。本明細書で説明された技法は、同期動作または非同期動作のどちらにも使用され得る。
【０１３０】
[0137]  本明細書で説明された情報および信号は、多種多様な技術および技法のうちの任意のものを使用して表され得る。例えば、上の説明全体にわたって参照され得るデータ、命令、コマンド、情報、信号、ビット、シンボル、およびチップは、電圧、電流、電磁波、磁場または磁性粒子、光場または光粒子、またはそれらの任意の組合せによって表され得る。
【０１３１】
[0138]  本明細書の開示に関連して説明された実例となる様々なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲートもしくはトランジスタロジック、ディスクリートハードウェア構成要素、または本明細書で説明された機能を行うように設計されたそれらの任意の組合せで実施または行われ得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ（例えば、ＤＳＰと、１つのマイクロプロセッサ、複数のマイクロプロセッサ、ＤＳＰコアに連結した１つまたは複数のマイクロプロセッサ、または任意の他のそのような構成との組合せ）として実施され得る。
【０１３２】
[0139]  本明細書で説明された機能は、ハードウェア、プロセッサによって実行されるソフトウェア、ファームウェア、またはそれらの任意の組合せで実施され得る。プロセッサによって実行されるソフトウェアで実施される場合、機能は、コンピュータ読取可能な媒体上の１つまたは複数の命令またはコードとして記憶または送信され得る。他の例および実施形態は、本開示および添付の特許請求の範囲内である。例えば、ソフトウェアの性質により、上で説明された機能は、プロセッサによって実行されるソフトウェア、ハードウェア、ファームウェア、ハードワイヤリング、またはこれらのうちの任意のものの組合せを使用して実施され得る。特徴を実施する機能はまた、様々な位置に物理的に配置され得、これには、機能の複数の部分が異なる物理ロケーションで実施されるように分散されることが含まれる。
【０１３３】
[0140]  コンピュータ読取可能な媒体は、ある場所から別の場所へのコンピュータプログラムの転送を容易にする任意の媒体を含む通信媒体および非一時的コンピュータ記憶媒体の両方を含む。非一時的記憶媒体は、汎用または専用コンピュータによってアクセス可能な任意の利用可能な媒体であり得る。限定ではなく例として、非一時的コンピュータ読取可能な媒体は、ＲＡＭ、ＲＯＭ、電気的消去可能プログラマブル読取り専用メモリ（ＥＥＰＲＯＭ（登録商標））、フラッシュメモリ、コンパクトディスク（ＣＤ）ＲＯＭもしくは他の光ディスク記憶装置、磁気ディスク記憶装置もしくは他の磁気記憶デバイス、または命令もしくはデータ構造の形式で所望のプログラムコード手段を搬送もしくは記憶するために使用され得、汎用もしくは専用コンピュータまたは汎用もしくは専用プロセッサによってアクセス可能な任意の他の非一時的媒体を備え得る。また、いずれの接続も、厳密にはコンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。上記の組合せも、コンピュータ読取可能な媒体の範囲内に含まれる。
【０１３４】
[0141]  特許請求の範囲を含めて本明細書で使用される場合、項目のリスト（例えば、「〜のうちの少なくとも１つ（at least one of）」または「〜のうちの１つまたは複数（one or more of）」のような表現が付いている項目のリスト）で使用される「もしくは／または（or）」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される場合、「〜に基づく（based on）」という表現は、条件の閉じたセットへの参照として解釈されるべきではない。例えば、「条件Ａに基づく」と記載されている例示的なステップは、本開示の範囲から逸脱することなく、条件Ａおよび条件Ｂの両方に基づき得る。換言すると、本明細書で使用される場合、「〜に基づく」という表現は、「〜に少なくとも部分的に基づく（based at least in part on）」という表現と同じように解釈されるものとする。
【０１３５】
[0142]  添付の図では、同様の構成要素または特徴が、同じ参照ラベルを有し得る。さらに、同じタイプの様々な構成要素は、参照ラベルの後に、ダッシュと、同様の構成要素を区別する第２のラベルとが続くことによって区別され得る。第１の参照ラベルだけが本明細書で使用される場合、説明は、第２の参照ラベルまたは他の後続の参照ラベルにかかわらず、同じ第１の参照ラベルを有する同様の構成要素のどれに対しても適用可能である。
【０１３６】
[0143]  添付の図面に関連して本明細書で示された説明は、例となる構成を説明しおり、実施され得るまたは特許請求の範囲の範囲内にある全ての例を表すわけではない。本明細書で使用される場合、「例示的（exemplary）」という用語は、「例、事例、または例示としての役割を果たす」ことを意味し、「好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスが、説明された例の概念を曖昧にしないために、ブロック図の形式で示される。
【０１３７】
[0144]  本明細書の説明は、当業者による本開示の作成または使用を可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されるのではなく、本明細書で開示された原理および新規の特徴と一致する最も広い範囲が与えられるべきである。
【図１】
2021514150.tif 000003
【図２】
2021514150.tif 000004
【図３】
2021514150.tif 000005
【図４】
2021514150.tif 000006
【図５】
2021514150.tif 000007
【図６】
2021514150.tif 000008
【図７】
2021514150.tif 000009
【図８】
2021514150.tif 000010
【図９】
2021514150.tif 000011
【図１０】
2021514150.tif 000012
【図１１】
2021514150.tif 000013
【国際調査報告】
2021514150.tif 000014
2021514150.tif 000015